(57)【要約】  本願は、ＵＣＩ−ｏｎｌｙのシナリオにおける通信方法を提供する。方法は、ＰＵＳＣＨをスケジューリングするために用いられるダウンリンク制御情報を受信する段階であって、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある、段階と、ＰＵＳＣＨ上で第１のＵＣＩを送信する段階であって、第１のＵＣＩは、ＨＡＲＱ−ＡＣＫ、ＣＳＩ−ｐａｒｔ１及びＣＳＩ−ｐａｒｔ２のうちの少なくとも１つを含み、第１の周波数ホッピングリソースにおける予約されたＲＥ上にマッピングされることができる符号化ビットの数は、第２の周波数ホッピングリソースにおける予約されたＲＥ上にマッピングされることができる符号化ビットの数より大きい又はこれに等しい、段階とを含む。上述の解決手段において、第２の周波数ホッピングリソースにおけるＲＥ上にマッピングされることができる符号化ビットの数を減らし、第２の周波数ホッピングリソースにおける、ＣＳＩ−ｐａｒｔ１をマッピングするために用いられるＲＥの数を増やすことで、周波数ホッピングを通じたＵＣＩ伝送に起因して、ＣＳＩ−ｐａｒｔ１が不完全に送信されるという課題を解決する。
2021534631.tif 000002
【特許請求の範囲】
【請求項１】
通信方法であって、
ダウンリンク制御情報を受信する段階であって、前記ダウンリンク制御情報は、物理アップリンク共有チャネル（ＰＵＳＣＨ）をスケジューリングするために用いられ、前記ＰＵＳＣＨは、アップリンク制御情報（ＵＣＩ）のみを搬送するために用いられ、前記ＰＵＳＣＨは、第１の周波数ホッピングリソース及び第２の周波数ホッピングリソースを有し、前記第１の周波数ホッピングリソースの時間領域開始シンボルは、前記第２の周波数ホッピングリソースの時間領域開始シンボルの前にある、段階と、
前記ＰＵＳＣＨ上で第１のＵＣＩを送信する段階であって、前記第１のＵＣＩは、チャネル状態情報パート１（ＣＳＩ−ｐａｒｔ１）を有する、又は、前記第１のＵＣＩは、ハイブリッド自動再送要求−確認応答（ＨＡＲＱ−ＡＣＫ）及び前記ＣＳＩ−ｐａｒｔ１を有する、段階と
を備え、
前記第１のＵＣＩにおける前記ＣＳＩ−ｐａｒｔ１の、前記第１の周波数ホッピングリソース上にマッピングされる符号化ビットの数ＧＣＳＩ−ｐａｒｔ１（１）は、第４の値及び第５の値のうちの小さい方であり、前記第４の値は、前記第１のＵＣＩにおける前記ＣＳＩ−ｐａｒｔ１の符号化ビットの数ＧＣＳＩ−ｐａｒｔ１に基づいて決定され、
ＨＡＲＱ−ＡＣＫビットの数が２より大きい場合、前記第５の値は、Ｍ１・ＮＬ・Ｑｍ−ＧＡＣＫ（１）に等しく、
ＨＡＲＱ−ＡＣＫビットの数が２よりも小さい又はこれに等しい場合、前記第５の値は、
【数２４３】
2021534631.tif 000247
に等しく、
【数２４４】
2021534631.tif 000248
であり、
【数２４５】
2021534631.tif 000249
は、前記第１の周波数ホッピングリソースにおけるシンボルの数であり、
【数２４６】
2021534631.tif 000250
は、シンボルｌ上でＵＣＩデータを搬送できるリソースエレメント（ＲＥ）の数であり、ＮＬは、前記ＰＵＳＣＨの伝送層の数であり、Ｑｍは、前記ＰＵＳＣＨの変調次数であり、ＧＡＣＫ（１）は、前記第１のＵＣＩにおける前記ＨＡＲＱ−ＡＣＫの、前記第１の周波数ホッピングリソース上にマッピングされる符号化ビットの数であり、
【数２４７】
2021534631.tif 000251
は、前記第１の周波数ホッピングリソースにおける予約されたＲＥ上にマッピングされることができる符号化ビットの数であり、前記第１の周波数ホッピングリソースにおける前記予約されたＲＥは、２ビットよりも小さい又はこれに等しい可能性のあるＨＡＲＱ−ＡＣＫを伝送するために予約されている、方法。
【請求項２】
前記第４の値は、
【数２４８】
2021534631.tif 000252
に等しい、請求項１に記載の方法。
【請求項３】
ＨＡＲＱ−ＡＣＫビットの数が２より大きい場合、
【数２４９】
2021534631.tif 000253
であり、ＨＡＲＱ−ＡＣＫビットの数が２よりも小さい又はこれに等しい場合、
【数２５０】
2021534631.tif 000254
である、請求項１又は請求項２に記載の方法。
【請求項４】
【数２５１】
2021534631.tif 000255
であり、
【数２５２】
2021534631.tif 000256
であり、
【数２５３】
2021534631.tif 000257
は、前記第１の周波数ホッピングリソース及び前記第２の周波数ホッピングリソースにおける前記予約されたＲＥに対してマッピングされる前記符号化ビットの数の合計である、請求項１から３のいずれか一項に記載の方法。
【請求項５】
通信方法であって、
ダウンリンク制御情報を送信する段階であって、前記ダウンリンク制御情報は、物理アップリンク共有チャネル（ＰＵＳＣＨ）をスケジューリングするために用いられ、前記ＰＵＳＣＨは、アップリンク制御情報（ＵＣＩ）のみを搬送するために用いられ、前記ＰＵＳＣＨは、第１の周波数ホッピングリソース及び第２の周波数ホッピングリソースを有し、前記第１の周波数ホッピングリソースの時間領域開始シンボルは、前記第２の周波数ホッピングリソースの時間領域開始シンボルの前にある、段階と、
前記ＰＵＳＣＨ上の第１のＵＣＩを受信する段階であって、前記第１のＵＣＩは、チャネル状態情報パート１（ＣＳＩ−ｐａｒｔ１）を有する、又は、前記第１のＵＣＩは、ハイブリッド自動再送要求−確認応答（ＨＡＲＱ−ＡＣＫ）及び前記ＣＳＩ−ｐａｒｔ１を有する、段階と
を備え、
前記第１のＵＣＩにおける前記ＣＳＩ−ｐａｒｔ１の、前記第１の周波数ホッピングリソース上にマッピングされる符号化ビットの数ＧＣＳＩ−ｐａｒｔ１（１）は、第４の値及び第５の値のうちの小さい方であり、前記第４の値は、前記第１のＵＣＩにおける前記ＣＳＩ−ｐａｒｔ１の符号化ビットの数ＧＣＳＩ−ｐａｒｔ１に基づいて決定され、
ＨＡＲＱ−ＡＣＫビットの数が２より大きい場合、前記第５の値は、Ｍ１・ＮＬ・Ｑｍ−ＧＡＣＫ（１）に等しく、
ＨＡＲＱ−ＡＣＫビットの数が２よりも小さい又はこれに等しい場合、前記第５の値は、
【数２５４】
2021534631.tif 000258
に等しく、
【数２５５】
2021534631.tif 000259
であり、
【数２５６】
2021534631.tif 000260
は、前記第１の周波数ホッピングリソースにおけるシンボルの数であり、
【数２５７】
2021534631.tif 000261
は、シンボルｌ上でＵＣＩを搬送できるリソースエレメント（ＲＥ）の数であり、ＮＬは、前記ＰＵＳＣＨの伝送層の数であり、Ｑｍは、前記ＰＵＳＣＨの変調次数であり、ＧＡＣＫ（１）は、前記第１のＵＣＩにおける前記ＨＡＲＱ−ＡＣＫの、前記第１の周波数ホッピングリソース上にマッピングされる符号化ビットの数であり、
【数２５８】
2021534631.tif 000262
は、前記第１の周波数ホッピングリソースにおける予約されたＲＥ上にマッピングされることができる符号化ビットの数であり、前記第１の周波数ホッピングリソースにおける前記予約されたＲＥは、２ビットよりも小さい又はこれに等しい可能性のあるＨＡＲＱ−ＡＣＫを伝送するために予約されている、方法。
【請求項６】
前記第４の値は、
【数２５９】
2021534631.tif 000263
に等しい、請求項５に記載の方法。
【請求項７】
ＨＡＲＱ−ＡＣＫビットの数が２より大きい場合、
【数２６０】
2021534631.tif 000264
であり、ＨＡＲＱ−ＡＣＫビットの数が２よりも小さい又はこれに等しい場合、
【数２６１】
2021534631.tif 000265
である、請求項５又は請求項６に記載の方法。
【請求項８】
【数２６２】
2021534631.tif 000266
であり、
【数２６３】
2021534631.tif 000267
であり、
【数２６４】
2021534631.tif 000268
は、前記第１の周波数ホッピングリソース及び前記第２の周波数ホッピングリソースにおける前記予約されたＲＥに対してマッピングされる前記符号化ビットの数の合計である、請求項５から７のいずれか一項に記載の方法。
【請求項９】
通信装置であって、
受信ユニットと送信ユニットとを備え、
前記受信ユニットは、ダウンリンク制御情報を受信するように構成され、前記ダウンリンク制御情報は、物理アップリンク共有チャネル（ＰＵＳＣＨ）をスケジューリングするために用いられ、前記ＰＵＳＣＨは、アップリンク制御情報（ＵＣＩ）のみを搬送するために用いられ、前記ＰＵＳＣＨは、第１の周波数ホッピングリソース及び第２の周波数ホッピングリソースを有し、前記第１の周波数ホッピングリソースの時間領域開始シンボルは、前記第２の周波数ホッピングリソースの時間領域開始シンボルの前にあり、
前記送信ユニットは、前記ＰＵＳＣＨ上で第１のＵＣＩを送信するように構成され、前記第１のＵＣＩは、チャネル状態情報パート１（ＣＳＩ−ｐａｒｔ１）を有し、又は、前記第１のＵＣＩは、ハイブリッド自動再送要求−確認応答（ＨＡＲＱ−ＡＣＫ）及び前記ＣＳＩ−ｐａｒｔ１を有し、
前記第１のＵＣＩにおける前記ＣＳＩ−ｐａｒｔ１の、前記第１の周波数ホッピングリソース上にマッピングされる符号化ビットの数ＧＣＳＩ−ｐａｒｔ１（１）は、第４の値及び第５の値のうちの小さい方であり、前記第４の値は、前記第１のＵＣＩにおける前記ＣＳＩ−ｐａｒｔ１の符号化ビットの数ＧＣＳＩ−ｐａｒｔ１に基づいて決定され、
ＨＡＲＱ−ＡＣＫビットの数が２より大きい場合、前記第５の値は、Ｍ１・ＮＬ・Ｑｍ−ＧＡＣＫ（１）に等しく、又は、
ＨＡＲＱ−ＡＣＫビットの数が２よりも小さい又はこれに等しい場合、前記第５の値は、
【数２６５】
2021534631.tif 000269
に等しく、
【数２６６】
2021534631.tif 000270
であり、
【数２６７】
2021534631.tif 000271
は、前記第１の周波数ホッピングリソースにおけるシンボルの数であり、
【数２６８】
2021534631.tif 000272
は、シンボルｌ上でＵＣＩを搬送できるリソースエレメント（ＲＥ）の数であり、ＮＬは、前記ＰＵＳＣＨの伝送層の数であり、Ｑｍは、前記ＰＵＳＣＨの変調次数であり、ＧＡＣＫ（１）は、前記第１のＵＣＩにおける前記ＨＡＲＱ−ＡＣＫの、前記第１の周波数ホッピングリソース上にマッピングされる符号化ビットの数であり、
【数２６９】
2021534631.tif 000273
は、前記第１の周波数ホッピングリソースにおける予約されたＲＥ上にマッピングされることができる符号化ビットの数であり、前記第１の周波数ホッピングリソースにおける前記予約されたＲＥは、２ビットよりも小さい又はこれに等しい可能性のあるＨＡＲＱ−ＡＣＫを伝送するために予約されている、装置。
【請求項１０】
前記第４の値は、
【数２７０】
2021534631.tif 000274
に等しい、請求項９に記載の装置。
【請求項１１】
ＨＡＲＱ−ＡＣＫビットの数が２より大きい場合、
【数２７１】
2021534631.tif 000275
であり、ＨＡＲＱ−ＡＣＫビットの数が２よりも小さい又はこれに等しい場合、
【数２７２】
2021534631.tif 000276
である、請求項９又は請求項１０に記載の装置。
【請求項１２】
【数２７３】
2021534631.tif 000277
であり、
【数２７４】
2021534631.tif 000278
であり、
【数２７５】
2021534631.tif 000279
は、前記第１の周波数ホッピングリソース及び前記第２の周波数ホッピングリソースにおける前記予約されたＲＥに対してマッピングされる前記符号化ビットの数の合計である、請求項９から１１のいずれか一項に記載の装置。
【請求項１３】
通信装置であって、
送信ユニットと受信ユニットとを備え、
前記送信ユニットは、ダウンリンク制御情報を送信するように構成され、前記ダウンリンク制御情報は、物理アップリンク共有チャネル（ＰＵＳＣＨ）をスケジューリングするために用いられ、前記ＰＵＳＣＨは、アップリンク制御情報（ＵＣＩ）のみを搬送するために用いられ、前記ＰＵＳＣＨは、第１の周波数ホッピングリソース及び第２の周波数ホッピングリソースを有し、前記第１の周波数ホッピングリソースの時間領域開始シンボルは、前記第２の周波数ホッピングリソースの時間領域開始シンボルの前にあり、
前記受信ユニットは、前記ＰＵＳＣＨ上で第１のＵＣＩを受信するように構成され、前記第１のＵＣＩは、チャネル状態情報パート１（ＣＳＩ−ｐａｒｔ１）を有し、又は、前記第１のＵＣＩは、ハイブリッド自動再送要求−確認応答（ＨＡＲＱ−ＡＣＫ）及びＣＳＩ−ｐａｒｔ１を有し、
前記第１のＵＣＩにおける前記ＣＳＩ−ｐａｒｔ１の、前記第１の周波数ホッピングリソース上にマッピングされる符号化ビットの数ＧＣＳＩ−ｐａｒｔ１（１）は、第４の値及び第５の値のうちの小さい方であり、前記第４の値は、前記第１のＵＣＩにおける前記ＣＳＩ−ｐａｒｔ１の符号化ビットの数ＧＣＳＩ−ｐａｒｔ１に基づいて決定され、ＨＡＲＱ−ＡＣＫビットの数が２より大きい場合、前記第５の値は、Ｍ１・ＮＬ・Ｑｍ−ＧＡＣＫ（１）に等しく、又は、ＨＡＲＱ−ＡＣＫビットの数が２よりも小さい又はこれに等しい場合、前記第５の値は、
【数２７６】
2021534631.tif 000280
に等しく、
【数２７７】
2021534631.tif 000281
であり、
【数２７８】
2021534631.tif 000282
は、前記第１の周波数ホッピングリソースにおけるシンボルの数であり、
【数２７９】
2021534631.tif 000283
は、シンボルｌ上でＵＣＩを搬送できるリソースエレメント（ＲＥ）の数であり、ＮＬは、前記ＰＵＳＣＨの伝送層の数であり、Ｑｍは、前記ＰＵＳＣＨの変調次数であり、ＧＡＣＫ（１）は、前記第１のＵＣＩにおける前記ＨＡＲＱ−ＡＣＫの、前記第１の周波数ホッピングリソース上にマッピングされる符号化ビットの数であり、
【数２８０】
2021534631.tif 000284
は、前記第１の周波数ホッピングリソースにおける予約されたＲＥ上にマッピングされることができる符号化ビットの数であり、前記第１の周波数ホッピングリソースにおける前記予約されたＲＥは、２ビットよりも小さい又はこれに等しい可能性のあるＨＡＲＱ−ＡＣＫを伝送するために予約されている、装置。
【請求項１４】
前記第４の値は、
【数２８１】
2021534631.tif 000285
に等しい、請求項１３に記載の装置。
【請求項１５】
ＨＡＲＱ−ＡＣＫビットの数が２より大きい場合、
【数２８２】
2021534631.tif 000286
であり、ＨＡＲＱ−ＡＣＫビットの数が２よりも小さい又はこれに等しい場合、
【数２８３】
2021534631.tif 000287
である、請求項１３又は請求項１４に記載の装置。
【請求項１６】
【数２８４】
2021534631.tif 000288
であり、
【数２８５】
2021534631.tif 000289
であり、
【数２８６】
2021534631.tif 000290
は、前記第１の周波数ホッピングリソース及び前記第２の周波数ホッピングリソースにおける前記予約されたＲＥに対してマッピングされる前記符号化ビットの数の合計である、請求項１３から１５のいずれか一項に記載の装置。
【請求項１７】
プロセッサを備え、メモリに格納されているプログラム命令を実行する場合、前記プロセッサは、請求項１から４のいずれか一項に記載の方法を実施する、通信装置。
【請求項１８】
プロセッサを備え、メモリに格納されているプログラム命令を実行する場合、前記プロセッサは、請求項５から８のいずれか一項に記載の方法を実施する、通信装置。
【請求項１９】
プロセッサに、請求項１から４のいずれか一項に記載の方法をさせるためのコンピュータプログラム。
【請求項２０】
プロセッサに、請求項５から８のいずれか一項に記載の方法をさせるためのコンピュータプログラム。
【請求項２１】
メモリとプロセッサとを備え、前記メモリは、コンピュータプログラムを格納するように構成され、前記プロセッサは、前記メモリから前記コンピュータプログラムを呼び出して、前記コンピュータプログラムを実行するように構成され、その結果、前記プロセッサは、請求項１から４のいずれか一項に記載の方法をする、チップ。
【請求項２２】
通信方法であって、
ダウンリンク制御情報を受信する段階であって、前記ダウンリンク制御情報は、物理アップリンク共有チャネル（ＰＵＳＣＨ）をスケジューリングするために用いられ、前記ＰＵＳＣＨは、アップリンク制御情報（ＵＣＩ）のみを搬送するために用いられ、前記ＰＵＳＣＨは、第１の周波数ホッピングリソース及び第２の周波数ホッピングリソースを有し、前記第１の周波数ホッピングリソースの時間領域開始シンボルは、前記第２の周波数ホッピングリソースの時間領域開始シンボルの前にある、段階と、
前記ＰＵＳＣＨ上で第１のＵＣＩを送信する段階であって、前記第１のＵＣＩは、チャネル状態情報パート１（ＣＳＩ−ｐａｒｔ１）を有する、又は、前記第１のＵＣＩは、ハイブリッド自動再送要求−確認応答（ＨＡＲＱ−ＡＣＫ）及び前記ＣＳＩ−ｐａｒｔ１を有する、段階と
を備え、
前記第１の周波数ホッピングリソースにおける予約されたリソースエレメント（ＲＥ）上にマッピングされることができる符号化ビットの数は第１の値であり、前記第２の周波数ホッピングリソースにおける予約されたＲＥ上にマッピングされることができる符号化ビットの数は第２の値であり、前記第１の値は、前記第２の値よりも小さくなく、前記第１の周波数ホッピングリソースにおける前記予約されたＲＥ及び前記第２の周波数ホッピングリソースにおける前記予約されたＲＥは、２ビットよりも小さい又はこれに等しい可能性のあるＨＡＲＱ−ＡＣＫを伝送するために予約されている、方法。
【請求項２３】
前記方法は、さらに、
符号化ビットの第１の数
【数２８７】
2021534631.tif 000291
を決定する段階であって、
【数２８８】
2021534631.tif 000292
は、前記第１の周波数ホッピングリソース及び前記第２の周波数ホッピングリソースにおける前記予約されたＲＥ上にマッピングされることができる前記符号化ビットの数の合計であり、前記第１の値及び前記第２の値の両方は、
【数２８９】
2021534631.tif 000293
に基づいて決定される、段階を備える、請求項２２に記載の方法。
【請求項２４】
前記第１の値は、
【数２９０】
2021534631.tif 000294
であり、
【数２９１】
2021534631.tif 000295
であり、及び／又は、
前記第２の値は、
【数２９２】
2021534631.tif 000296
であり、
【数２９３】
2021534631.tif 000297
であり、
ＮＬは、前記ＰＵＳＣＨの伝送層の数であり、Ｑｍは、前記第１のＵＣＩの変調次数である、請求項２３に記載の方法。
【請求項２５】
通信方法であって、
ダウンリンク制御情報を送信する段階であって、前記ダウンリンク制御情報は、物理アップリンク共有チャネル（ＰＵＳＣＨ）をスケジューリングするために用いられ、前記ＰＵＳＣＨは、アップリンク制御情報（ＵＣＩ）のみを搬送するために用いられ、前記ＰＵＳＣＨは、第１の周波数ホッピングリソース及び第２の周波数ホッピングリソースを有し、前記第１の周波数ホッピングリソースの時間領域開始シンボルは、前記第２の周波数ホッピングリソースの時間領域開始シンボルの前にある、段階と、
前記ＰＵＳＣＨ上で第１のＵＣＩを受信する段階であって、前記第１のＵＣＩは、チャネル状態情報パート１（ＣＳＩ−ｐａｒｔ１）を有する、又は、前記第１のＵＣＩは、ハイブリッド自動再送要求−確認応答（ＨＡＲＱ−ＡＣＫ）及び前記ＣＳＩ−ｐａｒｔ１を有する、段階と
を備え、
前記第１の周波数ホッピングリソースにおける予約されたリソースエレメント（ＲＥ）上にマッピングされることができる符号化ビットの数は第１の値であり、前記第２の周波数ホッピングリソースにおける予約されたＲＥ上でマッピングされることができる符号化ビットの数は第２の値であり、前記第１の値は、前記第２の値よりも小さくなく、前記第１の周波数ホッピングリソースにおける前記予約されたＲＥ及び前記第２の周波数ホッピングリソースにおける前記予約されたＲＥは、２ビットよりも小さい又はこれに等しい可能性のあるＨＡＲＱ−ＡＣＫを伝送するために予約されている、方法。
【請求項２６】
前記第１の値及び前記第２の値の両方は、符号化ビットの第１の数
【数２９４】
2021534631.tif 000298
に対応し、
【数２９５】
2021534631.tif 000299
は、前記第１の周波数ホッピングリソース及び前記第２の周波数ホッピングリソースにおける前記予約されたＲＥ上にマッピングされる前記符号化ビットの数の合計である、請求項２５に記載の方法。
【請求項２７】
前記第１の値は、
【数２９６】
2021534631.tif 000300
であり、
【数２９７】
2021534631.tif 000301
であり、及び／又は、
前記第２の値は、
【数２９８】
2021534631.tif 000302
であり、
【数２９９】
2021534631.tif 000303
であり、
ＮＬは、前記ＰＵＳＣＨの伝送層の数であり、Ｑｍは、前記第１のＵＣＩの変調次数である、請求項２６に記載の方法。
【請求項２８】
プロセッサを備え、メモリに格納されているプログラム命令を実行する場合、前記プロセッサは、請求項２２から２４のいずれか一項に記載の方法を実施する、通信装置。
【請求項２９】
プロセッサを備え、メモリに格納されているプログラム命令を実行する場合、前記プロセッサは、請求項２５から２７のいずれか一項に記載の方法を実施する、通信装置。
【発明の詳細な説明】
【技術分野】
【０００１】
本願は、２０１８年８月１０日に中国国家知識産権局に出願され、「通信方法及び通信装置」と題する中国特許出願第２０１８１０９１０３０６．９号に対する優先権を主張し、その全体において参照により本明細書に組み込まれる。
【０００２】
本願は、通信分野、特に、通信方法及び通信装置に関する。
【背景技術】
【０００３】
第５世代（ｔｈｅ  ５ｔｈ  ｇｅｎｅｒａｔｉｏｎ、５Ｇ）モバイル通信システムにおいて、アップリンク制御情報（ｕｐｌｉｎｋ  ｃｏｎｔｒｏｌ  ｉｎｆｏｒｍａｔｉｏｎ、ＵＣＩ）の伝送は、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）上でサポートされており、ＵＣＩのみが送信されるシナリオがあり、アップリンク共有チャネル（ｕｐｌｉｎｋ  ｓｈａｒｅｄ  ｃｈａｎｎｅｌ、ＵＬ−ＳＣＨ）が送信されない、つまり、ＵＣＩ−ｏｎｌｙのシナリオがある。
【０００４】
ＵＣＩ−ｏｎｌｙのシナリオにおいて、送信されるＵＣＩは、ハイブリッド自動再送要求−確認応答（ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ、ＨＡＲＱ−ＡＣＫ）、チャネル状態情報パート１（ｃｈａｎｎｅｌ  ｓｔａｔｅ  ｉｎｆｏｒｍａｔｉｏｎ  ｐａｒｔ  １、ＣＳＩ−ｐａｒｔ１）及びチャネル状態情報パート２（ＣＳＩ−ｐａｒｔ２）を含む。保護レベルに対する３つのタイプの情報についての要求は、上述の順序で低くなる。したがって、上述の３つのタイプの情報をリソースにマッピングする場合、端末デバイスは、チャネル推定品質に基づいて、データを搬送でき、かつ、ＰＵＳＣＨのリソースエレメント（ｒｅｓｏｕｒｃｅ  ｅｌｅｍｅｎｔ、ＲＥ）に対して、ＨＡＲＱ−ＡＣＫ、ＣＳＩ−ｐａｒｔ１及びＣＳＩ−ｐａｒｔ２をシーケンシャルにマッピングする。
【０００５】
周波数ホッピングゲインを取得するために、ＰＵＳＣＨは、時間領域において２つの部分に分割されてよく、２つの部分はそれぞれ、第１ホップ（ｈｏｐ  １）及び第２ホップ（ｈｏｐ  ２）と称される。最大周波数ホッピングゲインを取得するために、ｈｏｐ１及びｈｏｐ２上の周波数領域リソースは、概して、互いに遠く離れており、少なくとも完全に重なってはいない。これに対応して、ＨＡＲＱ−ＡＣＫ、ＣＳＩ−ｐａｒｔ１及びＣＳＩ−ｐａｒｔ２はまた、予め設定されたルールに従ってｈｏｐ１及びｈｏｐ２にマッピングされる。しかしながら、周波数ホッピングリソースにマッピングされるＣＳＩ−ｐａｒｔ１における情報は、不完全に送信される、つまり、ＣＳＩ−ｐａｒｔ１の一部を伝送できない。これは、ＵＣＩ−ｏｎｌｙのシナリオにおける周波数ホッピングを通じたＵＣＩ伝送のアプリケーションに悪影響を与える。
【発明の概要】
【０００６】
本願は、通信方法及び通信装置を提供する。ＵＣＩ−ｏｎｌｙのシナリオにおける周波数ホッピングを通じたＵＣＩ伝送に起因して、ＣＳＩ−ｐａｒｔ１における情報が不完全に送信されるという課題を解決するために、ＣＳＩ−ｐａｒｔ１マッピングルールが変更されている。
【０００７】
第１態様によれば、通信方法が提供され、ダウンリンク制御情報を受信する段階であって、ダウンリンク制御情報は、ＰＵＳＣＨをスケジューリングするために用いられ、ＰＵＳＣＨは、ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある、段階と、ＰＵＳＣＨ上で第１のＵＣＩを送信する段階であって、第１のＵＣＩは、ＨＡＲＱ−ＡＣＫ、ＣＳＩ−ｐａｒｔ１及びＣＳＩ−ｐａｒｔ２のうちの少なくとも１つを含む、段階とを含み、第１の周波数ホッピングリソースにおける予約されたＲＥ上にマッピングされることができる符号化ビットの数は第１の値であり、第２の周波数ホッピングリソースにおける予約されたＲＥ上にマッピングされることができる符号化ビットの数は第２の値であり、第１の値は第２の値よりも小さくなく、第１の周波数ホッピングリソースにおける予約されたＲＥ及び第２の周波数ホッピングリソースにおける予約されたＲＥは、２ビットよりも小さい又はこれに等しい可能性のあるＨＡＲＱ−ＡＣＫを伝送するために予約されている。上述の方法を実行するデバイスのピアデバイスは、これに対応して、ダウンリンク制御情報を送信する段階と、ＰＵＳＣＨ上で第１のＵＣＩを受信する段階とを実行してよい。本明細書において、ＰＵＳＣＨが第１の周波数ホッピングリソース及び第２の周波数ホッピングリソースを含むということは、ネットワークデバイスにより示されるアップリンクグラント（ＵＬ  ｇｒａｎｔ）ＤＣＩにおける周波数ホッピング識別子フィールドがＰＵＳＣＨに対する周波数ホッピングを有効にした場合、第１ホップにおけるＰＵＳＣＨの時間周波数領域リソース及び第２ホップにおけるＰＵＳＣＨの時間周波数領域リソースはそれぞれ、第１の周波数ホッピングリソース及び第２の周波数ホッピングリソースと称されることを意味することを留意されたい。本願において、ＰＵＳＣＨの第１の周波数ホッピングリソースと第２の周波数ホッピングリソースとを区別するために、第１の周波数ホッピングリソースの開始時間と第２の周波数ホッピングリソースの開始時間との間にはシーケンシャルな関係がある。さらに、ＰＵＳＣＨの特定の数ＲＥ上にマッピングされる符号化ビットの数の値は、ＰＵＳＣＨの伝送層の数を乗じ、次に、ＰＵＳＣＨ上で伝送される可能性のあるＵＣＩの変調次数を乗じたＲＥの数に等しい。
【０００８】
ＣＳＩ−ｐａｒｔ１における情報が不完全に送信される理由は、ＣＳＩ−ｐａｒｔ１の、第２の周波数ホッピングリソース上にマッピングされる符号化ビットの数が比較的少ないということにある。つまり、ＣＳＩ−ｐａｒｔ１をマッピングするために用いられる第２の周波数ホッピングリソース上のＲＥの数が比較的少なく、その結果、ＣＳＩ−ｐａｒｔ１を第２の周波数ホッピングリソース上にすべてマッピングすることができない。従来技術と比較して、本願は、第２の周波数ホッピングリソースにおける予約されたＲＥ上にマッピングされることができる符号化ビットの数を減らし、それにより、第２の周波数ホッピングリソースにおける、ＣＳＩ−ｐａｒｔ１をマッピングするために用いられるＲＥの数を増やす。これは、ＵＣＩ−ｏｎｌｙのシナリオにおける周波数ホッピングを通じたＵＣＩ伝送に起因して、ＣＳＩ−ｐａｒｔ１における情報が不完全に送信されるという課題を解決する。
【０００９】
オプションで、方法は、さらに、符号化ビットの第１の数
【数１】
2021534631.tif 000003
を決定する段階であって、
【数２】
2021534631.tif 000004
は、第１の周波数ホッピングリソース及び第２の周波数ホッピングリソースにおける予約されたＲＥ上にマッピングされる符号化ビットの数の合計であり、第１の値及び第２の値の両方は、
【数３】
2021534631.tif 000005
に基づいて決定される、段階を含む。
【００１０】
「第１の周波数ホッピングリソース及び第２の周波数ホッピングリソースにおける予約されたＲＥ上にマッピングされる符号化ビットの数の合計」は、第１の周波数ホッピングリソースにおける予約されたＲＥ上にマッピングされることができる符号化ビットの数と、第２の周波数ホッピングリソースにおける予約されたＲＥ上にマッピングされることができる符号化ビットの数との合計を指すが、第１の周波数ホッピングリソースにおける予約されたＲＥ上に実際にマッピングされる符号化ビットの数と、第２の周波数ホッピングリソースにおける予約されたＲＥ上に実際にマッピングされる符号化ビットの数との合計として理解されるべきではない。
【００１１】
オプションで、第１の値は、
【数４】
2021534631.tif 000006
であり、
【数５】
2021534631.tif 000007
であり、及び／又は、第２の値は、
【数６】
2021534631.tif 000008
であり、
【数７】
2021534631.tif 000009
であり、ＮＬは、ＰＵＳＣＨの伝送層の数であり、Ｑｍは、第１のＵＣＩの変調次数、すなわち、ＰＵＳＣＨ上で伝送されるＵＣＩの変調次数である。
【００１２】
オプションで、
【数８】
2021534631.tif 000010
及び、
【数９】
2021534631.tif 000011
である、又は、
【数１０】
2021534631.tif 000012
及び、
【数１１】
2021534631.tif 000013
である。
【００１３】
オプションで、方法は、さらに、第１のＵＣＩにおけるＨＡＲＱ−ＡＣＫの符号化ビットの数ＧＡＣＫを決定する段階を含み、第１のＵＣＩにおけるＨＡＲＱ−ＡＣＫの、第１の周波数ホッピングリソース上にマッピングされる符号化ビットの数は、ＧＡＣＫ（１）であり、ＧＡＣＫ（１）の値は、
第１の周波数ホッピングリソース上の連続する復調基準信号（ｄｅｍｏｄｕｌａｔｉｏｎ  ｒｅｆｅｒｅｎｃｅ  ｓｉｇｎａｌ、ＤＭＲＳ）シンボルの第１グループの後にあり、かつ、データを搬送するために用いられることができるＲＥ上にマッピングされる符号化ビットの数と、ＧＡＣＫに基づいて決定される第３の値との２つの値のうちの小さい方である。
【００１４】
第１のＵＣＩにおけるＨＡＲＱ−ＡＣＫの、第１の周波数ホッピングリソース上にマッピングされることができる符号化ビットの数が第１の周波数ホッピングリソースのベアラ能力を超える場合、端末デバイスは、第１の周波数ホッピングリソースのベアラ能力に基づいて、第１のＵＣＩにおけるＨＡＲＱ−ＡＣＫの、第１の周波数ホッピングリソース上にマッピングされる符号化ビットの数を決定してよい。そうでなければ、端末デバイスは、第１のＵＣＩにおけるＨＡＲＱ−ＡＣＫの、第１の周波数ホッピングリソース上にマッピングされることができる符号化ビットの数（例えば、
【数１２】
2021534631.tif 000014
）に基づいて、ＨＡＲＱ−ＡＣＫの、第１の周波数ホッピングリソース上にマッピングされる符号化ビットの数を決定してよい。
【００１５】
オプションで、第１の周波数ホッピングリソース上の連続するＤＭＲＳシンボルの第１グループの後にあり、かつ、データを搬送するために用いられることができるＲＥ上にマッピングされる符号化ビットの数の値は、Ｍ３・ＮＬ・Ｑｍに等しく、Ｍ３は、第１の周波数ホッピングリソース上の連続するＤＭＲＳシンボルの第１グループの後にあり、かつ、データを搬送するために用いられることができるＲＥの数であり、ＮＬは、ＰＵＳＣＨの伝送層の数であり、Ｑｍは、第１のＵＣＩの変調次数であり、第３の値は、
【数１３】
2021534631.tif 000015
である。
【００１６】
第１のＵＣＩにおけるＨＡＲＱ−ＡＣＫのビットの数は２よりも大きくない。
【００１７】
上述の解決手段は、式
【数１４】
2021534631.tif 000016
において説明される内容である。
【００１８】
オプションで、第１のＵＣＩにおけるＨＡＲＱ−ＡＣＫの、第２の周波数ホッピングリソース上にマッピングされる符号化ビットの数は、ＧＡＣＫ（２）であり、ＧＡＣＫ（２）＝ＧＡＣＫ−ＧＡＣＫ（１）である。
【００１９】
第２態様によれば、本願は、さらに、通信方法を提供し、ダウンリンク制御情報を受信する段階であって、ダウンリンク制御情報は、ＰＵＳＣＨをスケジューリングするために用いられ、ＰＵＳＣＨは、ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある、段階と、ＰＵＳＣＨ上で第１のＵＣＩを送信する段階であって、第１のＵＣＩは、ＨＡＲＱ−ＡＣＫ、ＣＳＩ−ｐａｒｔ１及びＣＳＩ−ｐａｒｔ２のうちの少なくとも１つを含む、段階とを含む。ピアデバイスは、これに対応して、ダウンリンク制御情報を送信する段階と、第１のＵＣＩを受信する段階とを実行する。
【００２０】
第１のＵＣＩにおけるＣＳＩ−ｐａｒｔ１の、第１の周波数ホッピングリソース上にマッピングされる符号化ビットの数ＧＣＳＩ−ｐａｒｔ１（１）は、第４の値及び第５の値のうちの小さい方であり、第４の値は、第１のＵＣＩにおけるＣＳＩ−ｐａｒｔ１の符号化ビットの数ＧＣＳＩ−ｐａｒｔ１に基づいて決定され、第５の値は、ＧＡＣＫ（１）及び
【数１５】
2021534631.tif 000017
のうちの大きい方の値に基づいて決定され、又は、第５の値は、ＧＡＣＫ（１）に基づいて決定され、ＧＡＣＫ（１）は、第１のＵＣＩにおけるＨＡＲＱ−ＡＣＫの、第１の周波数ホッピングリソース上にマッピングされる符号化ビットの数であり、
【数１６】
2021534631.tif 000018
は、第１の周波数ホッピングリソースにおける予約されたＲＥ上にマッピングされることができる符号化ビットの数である。
【００２１】
従来技術では、第５の値は、ＧＡＣＫ（１）のみに基づいて決定されている。例えば、従来技術において、第５の値は、Ｍ１・ＮＬ・Ｑｍ−ＧＡＣＫ（１）であり、このパラメータは、第１の周波数ホッピングリソース上のＣＳＩ−ｐａｒｔ１により占有されるリソースに対する上限（すなわち、第１の上限）を設定する。さらに、ＣＳＩ−ｐａｒｔ１は、第１の周波数ホッピングリソースにおける予約されたＲＥを占有できない。つまり、ＧＣＳＩ−ｐａｒｔ１（１）はまた、上限
【数１７】
2021534631.tif 000019
（すなわち、第２の上限）を超えるべきではない。ＨＡＲＱ−ＡＣＫ情報ビットの数が０、１又は２である場合、ＧＡＣＫ（１）は、ＨＡＲＱ−ＡＣＫ情報ビットの実際の数に基づいて計算される符号化ビットの数であり、
【数１８】
2021534631.tif 000020
は、予約されたＲＥ上にマッピングされる符号化ビットの、ＨＡＲＱ−ＡＣＫ情報ビットの数が２であることに基づいて計算される数である。したがって、ＨＡＲＱ−ＡＣＫ情報ビットの実際の数が０又は１である場合、
【数１９】
2021534631.tif 000021
であり、かつ、
【数２０】
2021534631.tif 000022
である。つまり、第１の周波数ホッピングリソースにおいて、
【数２１】
2021534631.tif 000023
である。この場合、第１の上限は、第２の上限よりも大きい。従来技術では、第５の値がＧＡＣＫ（１）のみに基づいて決定される場合、第１の周波数ホッピングリソースにおける予約されていないＲＥは、第１の周波数ホッピングリソース上でＣＳＩ−ｐａｒｔ１の符号化ビットの数ＧＣＳＩ−ｐａｒｔ１（１）を搬送するには不十分であり得る。
【００２２】
本願において提供される解決手段では、第５の値は、ＧＡＣＫ（１）及び
【数２２】
2021534631.tif 000024
のうちの大きい方に基づいて決定され（ＨＡＲＱ−ＡＣＫビットの数が２よりも大きい場合、
【数２３】
2021534631.tif 000025
は、０に等しい）、第１の周波数ホッピングリソースにおける実際の予約されていないＲＥを基準として用いることによりＧＣＳＩ−ｐａｒｔ１（１）が計算されることを保証し、それにより、ＣＳＩ−ｐａｒｔ１が不完全に送信されるという上述の課題を回避する。
【００２３】
オプションで、第５の値がＧＡＣＫ（１）及び
【数２４】
2021534631.tif 000026
のうちの大きい方の値に基づいて決定されることは、第５の値が
【数２５】
2021534631.tif 000027
に等しいことを含む、又は、
第５の値がＧＡＣＫ（１）に基づいて決定されることは、ＨＡＲＱ−ＡＣＫビットの数が２よりも大きい場合、第５の値は、Ｍ１・ＮＬ・Ｑｍ−ＧＡＣＫ（１）に等しい、又は、ＨＡＲＱ−ＡＣＫビットが２よりも小さい又はこれに等しい場合、第５の値は、
【数２６】
2021534631.tif 000028
に等しいことを含む。
【００２４】
Ｍ１は、データを搬送でき、かつ、第１の周波数ホッピングリソースにあるＲＥの数であり、ＮＬは、ＰＵＳＣＨの伝送層の数であり、Ｑｍは、第１のＵＣＩの変調次数である。
【００２５】
オプションで、第４の値が第１のＵＣＩにおけるＣＳＩ−ｐａｒｔ１の符号化ビットの数ＧＣＳＩ−ｐａｒｔ１に基づいて決定されることは、第４の値が、
【数２７】
2021534631.tif 000029
に等しいことを含み、ＮＬは、ＰＵＳＣＨの伝送層の数であり、Ｑｍは、第１のＵＣＩの変調次数である。
【００２６】
第２態様において提供される解決手段は、別々に実施されてよい、又は、第１態様において提供される解決手段と共同で実施されてよい。
【００２７】
第３態様によれば、通信方法が提供され、
インジケーション情報を受信する段階であって、インジケーション情報は、物理アップリンク共有チャネルＰＵＳＣＨをスケジューリングするために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある、段階と、ＰＵＳＣＨ上で第１のＵＣＩを送信する段階であって、第１のＵＣＩは、ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを含む、段階とを含み、第１の周波数ホッピングリソースにおける予約されたリソースエレメントＲＥ上にマッピングされることができる符号化ビットの数は第１の値であり、第２の周波数ホッピングリソースにおいて予約されたＲＥ上にマッピングされる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、ビット数が２よりも大きくない可能性のあるＨＡＲＱ−ＡＲＫ伝送のために予約されている。
【００２８】
オプションで、方法は、端末デバイスにより実行されてよい、又は、端末デバイスに統合される又は端末デバイスとは別個である装置又はチップにより実行されてよい。
【００２９】
これに対応して、本願は装置を提供し、装置は、
インジケーション情報を受信するように構成される受信ユニットであって、インジケーション情報は、物理アップリンク共有チャネルＰＵＳＣＨをスケジューリングするために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある、受信ユニットと、ＰＵＳＣＨ上で第１のＵＣＩを送信するように構成される送信ユニットであって、第１のＵＣＩは、伝送ハイブリッド自動再送要−確認応答求ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを含む、送信ユニットとを含み、第１の周波数ホッピングリソースにおける予約されたリソースエレメントＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、ビット数が２よりも大きくない可能性のあるＨＡＲＱ−ＡＲＫ伝送のために予約されている。
【００３０】
第３態様において、本願は、さらに、別の通信方法を提供し、方法は、
インジケーション情報を送信する段階であって、インジケーション情報は、物理アップリンク共有チャネルＰＵＳＣＨをスケジューリングするために用いられ、ＰＵＳＣＨは、第１の周波数ホッピングリソース及び第２の周波数ホッピングリソースを含む、段階と、ＰＵＳＣＨ上で第１のＵＣＩを受信する段階であって、第１のＵＣＩは、伝送ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを含む、段階とを含み、第１の周波数ホッピングリソースにおける予約されたリソースエレメントＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、ビット数が２よりも大きくない可能性のあるＨＡＲＱ−ＡＲＫ伝送のために予約されている。
【００３１】
オプションで、方法は、ネットワークデバイスにより実行されてよい、又は、ネットワークデバイスに統合される又はネットワークデバイスとは別個である装置又はチップにより実行されてよい。
【００３２】
これに対応して、本願は装置を提供し、装置は、送信ユニットと受信ユニットとを含み、上述の方法における対応する段階を実行する。
【００３３】
第３態様はさらに以下のとおりである。
【００３４】
任意の設計において、ＰＵＳＣＨは、アップリンク共有チャネルＵＬ−ＳＣＨを搬送し、第１のＵＣＩは、ＨＡＲＱ−ＡＣＫを含み、ＨＡＲＱ−ＡＣＫの、第１の周波数ホッピングリソース上にマッピングされる符号化ビットの数は第６の値であり、ＨＡＲＱ−ＡＣＫの、第２の周波数ホッピングリソース上にマッピングされる符号化ビットの数は第７の値であり、第６の値は、第７の値よりも小さくない。
【００３５】
任意の設計において、第１のＵＣＩに含まれるＨＡＲＱ−ＡＣＫのマッピングされる符号化ビットの数は、ＧＡＣＫ，ｗｉｔｈＵＬ−ＳＣＨであり、
第６の値は、ＧＡＣＫ，ｗｉｔｈＵＬ−ＳＣＨ（１）であり、
【数２８】
2021534631.tif 000030
であり、及び／又は、
第７の値は、ＧＡＣＫ，ｗｉｔｈＵＬ−ＳＣＨ（２）であり、
【数２９】
2021534631.tif 000031
であり、
ＮＬは、ＰＵＳＣＨの伝送層の数であり、Ｑｍは、ＵＬ−ＳＣＨ及び第１のＵＣＩの変調次数である。
【００３６】
任意の設計において、第６の値は、
【数３０】
2021534631.tif 000032
であり、第７の値は、ＧＡＣＫ，ｗｉｔｈＵＬ−ＳＣＨ（２）＝ＧＡＣＫ，ｗｉｔｈＵＬ−ＳＣＨ−ＧＡＣＫ，ｗｉｔｈＵＬ−ＳＣＨ（１）である、又は、
第７の値は、
【数３１】
2021534631.tif 000033
であり、第６の値は、ＧＡＣＫ，ｗｉｔｈＵＬ−ＳＣＨ（１）＝ＧＡＣＫ，ｗｉｔｈＵＬ−ＳＣＨ−ＧＡＣＫ，ｗｉｔｈＵＬ−ＳＣＨ（２）である。
【００３７】
第３態様において提供される解決手段によれば、ＨＡＲＱ−ＡＣＫビットの数が２である場合、第１の周波数ホッピングリソースにおいて、ＨＡＲＱ−ＡＣＫの符号化ビットの数は、予約されたＲＥ上にマッピングされる符号化ビットの数にちょうど等しく、第２の周波数ホッピングリソースにおいて、ＨＡＲＱ−ＡＣＫの符号化ビットの数は、予約されたものにマッピングされる符号化ビットの数にちょうど等しい。
【００３８】
第４態様によれば、本願は、装置を提供する。装置は、第１態様、第２態様及び／又は第３態様における方法の段階に対応する機能を実装してよい。当該機能は、ハードウェアにより実装されてよい、又は、対応するソフトウェアを実行するハードウェアにより実装されてよい。ハードウェア又はソフトウェアは、上述の機能に対応する１つ又は複数のユニット又はモジュールを含む。
【００３９】
可能な設計において、装置は、プロセッサを含み、プロセッサは、上述の第１態様における方法の対応する機能を実行する際に、装置をサポートするように構成される。装置は、さらに、メモリを含んでよく、メモリは、プロセッサに連結するように構成され、メモリは、装置に必要なプログラム命令及びデータを格納する。オプションで、装置は、さらに、送受信器を含み、送受信器は、当該装置と別のネットワークエレメントとの間の通信をサポートするように構成される。送受信器は、独立した受信器、独立した送信器、又は、送受信機能を有する送受信器であってよい。
【００４０】
第５態様によれば、本願は、コンピュータ可読記憶媒体を提供する。コンピュータ可読記憶媒体は、コンピュータプログラムコードを格納し、コンピュータプログラムコードが処理ユニット又はプロセッサにより実行される場合、第１態様、第２態様及び／又は第３態様に係る方法が実施される。
【００４１】
第６態様によれば、本願は、コンピュータプログラム製品を提供する。コンピュータプログラム製品は、コンピュータプログラムコードを含み、コンピュータプログラムコードが処理ユニット又はプロセッサにより実行される場合、第１態様、第２態様及び／又は第３態様に係る方法が実施される。
【００４２】
第７態様によれば、通信方法が提供され、ダウンリンク制御情報を送信する段階であって、ダウンリンク制御情報は、ＰＵＳＣＨをスケジューリングするために用いられ、ＰＵＳＣＨは、ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある、段階と、ＰＵＳＣＨ上で第１のＵＣＩを受信する段階であって、第１のＵＣＩは、ＨＡＲＱ−ＡＣＫ、ＣＳＩ−ｐａｒｔ１及びＣＳＩ−ｐａｒｔ２のうちの少なくとも１つを含む、段階とを含み、第１の周波数ホッピングリソースにおける予約されたＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、２ビットよりも小さい又はこれに等しい可能性のあるＨＡＲＱ−ＡＣＫを伝送するために予約されている。
【００４３】
ＣＳＩ−ｐａｒｔ１における情報が不完全に送信される理由は、ＣＳＩ−ｐａｒｔ１の、第２の周波数ホッピングリソース上にマッピングされる符号化ビットの数が比較的少ないということにある。つまり、ＣＳＩ−ｐａｒｔ１をマッピングするために用いられる第２の周波数ホッピングリソース上のＲＥの数が比較的少なく、その結果、ＣＳＩ−ｐａｒｔ１を第２の周波数ホッピングリソース上にすべてマッピングすることができない。従来技術と比較して、本願は、第２の周波数ホッピングリソースにおける予約されたＲＥ上にマッピングされることができる符号化ビットの数を減らし、それにより、第２の周波数ホッピングリソースにおける、ＣＳＩ−ｐａｒｔ１をマッピングするために用いられるＲＥの数を増やす。これは、ＵＣＩ−ｏｎｌｙのシナリオにおける周波数ホッピングを通じたＵＣＩ伝送に起因して、ＣＳＩ−ｐａｒｔ１における情報が不完全に送信されるという課題を解決する。
【００４４】
オプションで、第１の値は、
【数３２】
2021534631.tif 000034
であり、
【数３３】
2021534631.tif 000035
であり、及び／又は、
第２の値は、
【数３４】
2021534631.tif 000036
であり、
【数３５】
2021534631.tif 000037
であり、ＮＬは、ＰＵＳＣＨの伝送層の数であり、Ｑｍは、第１のＵＣＩの変調次数である。
【００４５】
オプションで、
【数３６】
2021534631.tif 000038
及び、
【数３７】
2021534631.tif 000039
である、又は、
【数３８】
2021534631.tif 000040
及び、
【数３９】
2021534631.tif 000041
である。
【００４６】
オプションで、第１のＵＣＩにおけるＨＡＲＱ−ＡＣＫの、第１の周波数ホッピングリソース上にマッピングされる符号化ビットの数は、ＧＡＣＫ（１）であり、ＧＡＣＫ（１）の値は、
第１の周波数ホッピングリソース上の連続するＤＭＲＳシンボルの第１グループの後にあり、かつ、データを搬送するために用いられることができるＲＥ上にマッピングされる符号化ビットの数と、ＧＡＣＫに基づいて決定される第３の値との２つの値のうちの小さい方であり、ＧＡＣＫは、第１のＵＣＩにおけるＨＡＲＱ−ＡＣＫの符号化ビットの数である。
【００４７】
オプションで、第１の周波数ホッピングリソース上の連続するＤＭＲＳシンボルの第１グループの後にあり、かつ、データを搬送するために用いられることができるＲＥ上にマッピングされる符号化ビットの数の値は、Ｍ３・ＮＬ・Ｑｍに等しく、Ｍ３は、第１の周波数ホッピングリソース上の連続するＤＭＲＳシンボルの第１グループの後にあり、かつ、データを搬送するために用いられることができるＲＥの数であり、ＮＬは、ＰＵＳＣＨの伝送層の数であり、Ｑｍは、第１のＵＣＩの変調次数であり、第３の値は、
【数４０】
2021534631.tif 000042
である。第１のＵＣＩにおけるＨＡＲＱ−ＡＣＫのビットの数は２よりも大きくない。
【００４８】
上述の解決手段は、式
【数４１】
2021534631.tif 000043
において説明される内容である。
【００４９】
オプションで、第１のＵＣＩにおけるＨＡＲＱ−ＡＣＫの、第２の周波数ホッピングリソース上にマッピングされる符号化ビットの数は、ＧＡＣＫ（２）であり、ＧＡＣＫ（２）＝ＧＡＣＫ−ＧＡＣＫ（１）である。
【００５０】
第８態様によれば、本願は、さらに、通信方法を提供し、ダウンリンク制御情報を送信する段階であって、ダウンリンク制御情報は、ＰＵＳＣＨをスケジューリングするために用いられ、ＰＵＳＣＨは、ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある、段階と、ＰＵＳＣＨ上で第１のＵＣＩを受信する段階であって、第１のＵＣＩは、ＨＡＲＱ−ＡＣＫ、ＣＳＩ−ｐａｒｔ１及びＣＳＩ−ｐａｒｔ２のうちの少なくとも１つを含む、段階とを含む。
【００５１】
第１のＵＣＩにおけるＣＳＩ−ｐａｒｔ１の、第１の周波数ホッピングリソース上にマッピングされる符号化ビットの数ＧＣＳＩ−ｐａｒｔ１（１）は、第４の値及び第５の値のうちの小さい方であり、第４の値は、第１のＵＣＩにおけるＣＳＩ−ｐａｒｔ１の符号化ビットの数ＧＣＳＩ−ｐａｒｔ１に基づいて決定され、第５の値は、ＧＡＣＫ（１）及び
【数４２】
2021534631.tif 000044
のうちの大きい方の値に基づいて決定され、又は、第５の値は、ＧＡＣＫ（１）に基づいて決定され、ＧＡＣＫ（１）は、第１のＵＣＩにおけるＨＡＲＱ−ＡＣＫの、第１の周波数ホッピングリソース上にマッピングされる符号化ビットの数であり、
【数４３】
2021534631.tif 000045
は、第１の周波数ホッピングリソースにおける予約されたＲＥ上にマッピングされることができる符号化ビットの数である。
【００５２】
従来技術では、第５の値は、ＧＡＣＫ（１）のみに基づいて決定されている。例えば、従来技術において、第５の値は、Ｍ１・ＮＬ・Ｑｍ−ＧＡＣＫ（１）であり、このパラメータは、第１の周波数ホッピングリソース上のＣＳＩ−ｐａｒｔ１により占有されるリソースに対する上限（すなわち、第１の上限）を設定する。さらに、ＣＳＩ−ｐａｒｔ１は、第１の周波数ホッピングリソースにおける予約されたＲＥを占有できない。つまり、ＧＣＳＩ−ｐａｒｔ１（１）はまた、上限
【数４４】
2021534631.tif 000046
（すなわち、第２の上限）を超えるべきではない。ＨＡＲＱ−ＡＣＫ情報ビットの数が０、１又は２である場合、ＧＡＣＫ（１）は、ＨＡＲＱ−ＡＣＫ情報ビットの実際の数に基づいて計算される符号化ビットの数であり、
【数４５】
2021534631.tif 000047
は、予約されたＲＥ上にマッピングされる符号化ビットの、ＨＡＲＱ−ＡＣＫ情報ビットの数が２であることに基づいて計算される数である。したがって、ＨＡＲＱ−ＡＣＫ情報ビットの実際の数が０又は１である場合、
【数４６】
2021534631.tif 000048
であり、かつ、
【数４７】
2021534631.tif 000049
である。つまり、第１の周波数ホッピングリソースにおいて、
【数４８】
2021534631.tif 000050
である。この場合、第１の上限は、第２の上限よりも大きい。従来技術では、第５の値がＧＡＣＫ（１）のみに基づいて決定される場合、第１の周波数ホッピングリソースにおける予約されていないＲＥは、第１の周波数ホッピングリソース上でＣＳＩ−ｐａｒｔ１の符号化ビットの数ＧＣＳＩ−ｐａｒｔ１（１）を搬送するには不十分であり得る。
【００５３】
本願において提供される解決手段では、第５の値は、ＧＡＣＫ（１）及び
【数４９】
2021534631.tif 000051
のうちの大きい方に基づいて決定され（ＨＡＲＱ−ＡＣＫビットの数が２よりも大きい場合、
【数５０】
2021534631.tif 000052
は、０に等しい）、第１の周波数ホッピングリソースにおける実際の予約されていないＲＥを基準として用いることによりＧＣＳＩ−ｐａｒｔ１（１）が計算されることを保証し、それにより、ＣＳＩ−ｐａｒｔ１が不完全に送信されるという上述の課題を回避する。
【００５４】
オプションで、第５の値がＧＡＣＫ（１）及び
【数５１】
2021534631.tif 000053
のうちの大きい方の値に基づいて決定されることは、第５の値が
【数５２】
2021534631.tif 000054
に等しいことを含む、又は、
第５の値がＧＡＣＫ（１）に基づいて決定されることは、ＨＡＲＱ−ＡＣＫビットの数が２よりも大きい場合、第５の値は、Ｍ１・ＮＬ・Ｑｍ−ＧＡＣＫ（１）に等しいことを含む。
【００５５】
Ｍ１は、データを搬送でき、かつ、第１の周波数ホッピングリソースにあるＲＥの数であり、ＮＬは、ＰＵＳＣＨの伝送層の数であり、Ｑｍは、第１のＵＣＩの変調次数である。
【００５６】
オプションで、第４の値が第１のＵＣＩにおけるＣＳＩ−ｐａｒｔ１の符号化ビットの数ＧＣＳＩ−ｐａｒｔ１に基づいて決定されることは、第４の値が、
【数５３】
2021534631.tif 000055
に等しいことを含み、ＮＬは、ＰＵＳＣＨの伝送層の数であり、Ｑｍは、第１のＵＣＩの変調次数である。
【図面の簡単な説明】
【００５７】
【図１】本願が適用可能な通信システムの概略図である。
【００５８】
【図２】本願に係るＵＣＩ−ｏｎｌｙのシナリオにおけるＵＣＩマッピングスキームの概略図である。
【００５９】
【図３】本願に係るＵＣＩ−ｏｎｌｙのシナリオにおける別のＵＣＩマッピングスキームの概略図である。
【００６０】
【図４】本願に係る通信方法の概略図である。
【００６１】
【図５】本願に係るＰＵＳＣＨリソース割り当てについての概略図である。
【００６２】
【図６】本願に係る別の通信方法の概略図である。
【００６３】
【図７】本願に係るさらに別の通信方法の概略図である。
【００６４】
【図８】本願に係るさらに別の通信方法の概略図である。
【００６５】
【図９】本願に係る通信装置の概略図である。
【００６６】
【図１０】本願に係る別の通信装置の概略図である。
【００６７】
【図１１】本願に係るさらに別の通信装置の概略図である。
【００６８】
【図１２】本願に係るさらに別の通信装置の概略図である。
【００６９】
【図１３】本願に係るさらに別の通信装置の概略図である。
【００７０】
【図１４】本願に係るさらに別の通信装置の概略図である。
【００７１】
【図１５】本願に係るさらに別の通信装置の概略図である。
【００７２】
【図１６】本願に係るさらに別の通信装置の概略図である。
【発明を実施するための形態】
【００７３】
以下では、添付の図面を参照して、本願の技術的解決手段を説明する。
【００７４】
図１は、本願が適用可能な通信システムを示す。通信システムは、ネットワークデバイス及び端末デバイスを含む。ネットワークデバイスは、無線ネットワークを介して端末デバイスと通信する。端末デバイスが情報を送信する場合、端末デバイスの無線通信モジュールは、チャネルを介してネットワークデバイスに送信される予定の情報ビットを取得してよい。例えば、情報ビットは、端末デバイスの処理モジュールにより生成される、別のデバイスから受信される、又は、端末デバイスのストレージモジュールに格納されている。
【００７５】
本願において、端末デバイスは、アクセス端末、ユーザ機器（ｕｓｅｒ  ｅｑｕｉｐｍｅｎｔ、ＵＥ）、加入者ユニット、加入者局、移動局、モバイルコンソール、リモート局、リモート端末、モバイルデバイス、ユーザ端末、端末、無線通信デバイス、ユーザエージェント又はユーザ装置と称され得る。アクセス端末は、携帯電話、無線通信機能を有するハンドヘルドデバイス、コンピューティングデバイス、無線モデムに接続される別の処理デバイス、車載デバイス、ウェアラブルデバイス、又は、５Ｇ通信システムにおけるユーザ機器であってよい。
【００７６】
ネットワークデバイスは、符号分割多元接続（ｃｏｄｅ  ｄｉｖｉｓｉｏｎ  ｍｕｌｔｉｐｌｅ  ａｃｃｅｓｓ、ＣＤＭＡ）システムにおけるベーストランシーバ基地局（ｂａｓｅ  ｔｒａｎｓｃｅｉｖｅｒ  ｓｔａｔｉｏｎ、ＢＴＳ）、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システムにおけるノードＢ（ｎｏｄｅ  Ｂ、ＮＢ）、ロングタームエボリューション（ｌｏｎｇ  ｔｅｒｍ  ｅｖｏｌｕｔｉｏｎ、ＬＴＥ）システムにおける進化型ノードＢ（ｅｖｏｌｖｅｄ  ｎｏｄｅ  Ｂ、ｅＮＢ）、又は、５Ｇ通信システムにおけるｇＮＢ（ｇＮＢ）であってよい。上述の基地局は、図示のための例としてのみ用いられる。代わりに、ネットワークデバイスは、リレーノード、アクセスポイント、車載デバイス、ウェアラブルデバイス又は別のタイプのデバイスであってよい。
【００７７】
本願が適用可能な上述の通信システムは、説明のための例に過ぎず、本願が適用可能な通信システムはこれに限定されない。例えば、通信システムは、別の数のネットワークデバイス及び別の数の端末デバイスを含んでよい。
【００７８】
本願における技術的解決手段を理解しやすくするために、まず、本願において用いられる概念を簡潔に説明する。説明のための例として、５Ｇシステムが用いられる。
【００７９】
ＵＥがＰＵＳＣＨ上でＵＣＩをｇＮＢに送信するシナリオでは、ＵＥは、物理ダウンリンク制御チャネル（ＰＤＣＣＨ）を検出することに失敗し得る。その結果、フィードバックされる必要があるＨＡＲＱ−ＡＣＫビットの数に対する認識エラーが発生する、つまり、ＵＥにより実際にフィードバックされるＨＡＲＱ−ＡＣＫビットの数が、フィードバックするためにｇＮＢがＵＥをスケジューリングしたＨＡＲＱ−ＡＣＫビットの数よりも少ない。さらに、ＰＵＳＣＨ上でＵＥにより送信されるすべてのＵＣＩは、ｇＮＢによって正しく受信されていないかもしれない。ＵＥにより送信されるＨＡＲＱ−ＡＣＫの減少がＣＳＩ−ｐａｒｔ１に与える影響を回避するために、通信プロトコルでは、ＵＥがＰＵＳＣＨ上でＵＣＩをｇＮＢに送信するシナリオのために、ＨＡＲＱ−ＡＣＫ用に予約されたＲＥ（ｒｅｓｅｒｖｅｄ  ＲＥ  ｆｏｒ  ＨＡＲＱ−ＡＣＫ）、すなわち、予約されたＲＥが規定されている。具体的な規定は以下のとおりである。
【００８０】
（１）ＨＡＲＱ−ＡＣＫ情報ビットの数が０、１又は２である場合、予約されたＲＥは、ＨＡＲＱ−ＡＣＫ情報ビットの数が２であることに基づいて生成される。
【００８１】
（２）比較的高い保護レベル要求を有するＣＳＩ−ｐａｒｔ１を予約されたＲＥ上で送信できないので、ＨＡＲＱ−ＡＣＫ情報ビットの数が２よりも大きくない場合、ＨＡＲＱ−ＡＣＫの伝送の失敗は、ＣＳＩ−ｐａｒｔ１に影響を与えない。
【００８２】
（３）ＣＳＩ−ｐａｒｔ２及びＵＬ−ＳＣＨは、予約されたＲＥ上で送信され得る（ＵＣＩ−ｏｎｌｙのシナリオでは、ＣＳＩ−ｐａｒｔ２のみが送信され得る）。
【００８３】
（４）伝送される必要があるＨＡＲＱ−ＡＣＫ情報ビットがある（つまり、ＨＡＲＱ−ＡＣＫ情報ビットの数が１又は２である）場合、ＨＡＲＱ−ＡＣＫは、予約されたＲＥ上で伝送される。つまり、この場合、ＣＳＩ−ｐａｒｔ２がマッピングされた予約されたＲＥは、ＨＡＲＱ−ＡＣＫのためにパンクチャリングされる。
【００８４】
周波数ホッピングゲインを取得するために、ＰＵＳＣＨは、時間領域において２つの部分に分割されてよく、２つの部分はそれぞれ、第１ホップ（ｈｏｐ  １）及び第２ホップ（ｈｏｐ  ２）と称される。ｈｏｐ１及びｈｏｐ２上の周波数領域リソースは異なる。これに対応して、ＨＡＲＱ−ＡＣＫ、ＣＳＩ−ｐａｒｔ１及びＣＳＩ−ｐａｒｔ２はまた、予め設定されたルールに従ってｈｏｐ１及びｈｏｐ２にマッピングされる。
【００８５】
上述のマッピングルールは、図２において直感的に表され得る。図２に示されるように、ＣＳＩ−ｐａｒｔ１は、予約されていないＲＥ上のみにマッピングされ、ＣＳＩ−ｐａｒｔ２は、予約されたＲＥ上にマッピングされる部分及び予約されていないＲＥ上にマッピングされる部分の両方を有する。ＨＡＲＱ−ＡＣＫがある（つまり、情報ビットの数が１又は２である）場合、ＨＡＲＱ−ＡＣＫは、予約されたＲＥ上にマッピングされる（つまり、ＣＳＩ−ｐａｒｔ２の符号化ビットがマッピングされたリソースがパンクチャリングされる）。
【００８６】
ＰＵＳＣＨ周波数ホッピングに対して、以下のルールを適用する。
【００８７】
ＰＵＳＣＨシンボルの数についての周波数ホッピングルールは、スロット（ｓｌｏｔ）内周波数ホッピング及びｓｌｏｔ間周波数ホッピングを含む。詳細は以下のとおりである。
【００８８】
ｓｌｏｔ内周波数ホッピングについて、ｈｏｐ１上のシンボル数は、ＰＵＳＣＨシンボルの総数の半分を最も近い整数に切り下げる、すなわち、
【数５４】
2021534631.tif 000056
であり、ｈｏｐ２上のシンボルの数は、ＰＵＳＣＨシンボルの総数からｈｏｐ１上のシンボルの数を引いた数に等しい、すなわち、
【数５５】
2021534631.tif 000057
である。
【数５６】
2021534631.tif 000058
は、１つのスロットにおけるＰＵＳＣＨシンボルの総数である。
【００８９】
ｓｌｏｔ間周波数ホッピングについて、ｈｏｐ１及びｈｏｐ２は、時間を単位としたスロットによる分割を通じて取得される。例えば、偶数のスロット番号を有するホップは、ｈｏｐ１であり、奇数のスロット番号を有するホップは、ｈｏｐ２である。
【００９０】
現在のプロトコルにおいて規定されるＰＵＳＣＨ周波数ホッピングの場合における復調基準信号（ｄｅｍｏｄｕｌａｔｉｏｎ  ｒｅｆｅｒｅｎｃｅ  ｓｉｇｎａｌ、ＤＭＲＳ）パターンに応じて、ｓｌｏｔ内周波数ホッピングの可能性のある場合は、ｈｏｐ１上でデータを搬送できるシンボルの数がｈｏｐ２上でデータを搬送できるシンボルの数に等しいこと、又は、ｈｏｐ１でデータを搬送できるシンボルの数がｈｏｐ２上でデータを搬送できるシンボルの数よりも１つだけ少ないこと、及び、ｓｌｏｔ間周波数ホッピングの場合、ｈｏｐ１上でデータを搬送できるシンボルの数がｈｏｐ２上でデータを搬送できるシンボルの数に等しいことを含む。
【００９１】
予約されたＲＥ上にマッピングされる符号化ビットの数についての周波数ホッピング分割ルールは以下のとおりである。
【００９２】
予約されたＲＥ上にマッピングされる符号化ビットの数が
【数５７】
2021534631.tif 000059
であると仮定すると、ｈｏｐ１及びｈｏｐ２の予約されたＲＥ上にマッピングされる符号化ビットの数はそれぞれ、
【数５８】
2021534631.tif 000060
【数５９】
2021534631.tif 000061
であり、ＮＬは、ＰＵＳＣＨの伝送層の数であり、Ｑｍは、ＰＵＳＣＨの変調次数である。式（１）及び式（２）から、
【数６０】
2021534631.tif 000062
【数６１】
2021534631.tif 000063
が認識され得る。
【００９３】
式（３）及び式（４）における等号は、
【数６２】
2021534631.tif 000064
が（２・ＮＬ・Ｑｍ）でちょうど割り切ることができる場合のみ有効である。
【００９４】
既存の仕様書によれば、ＵＣＩ−ｏｎｌｙのシナリオにおいて、ＵＣＩの部分（ＨＡＲＱ−ＡＣＫ、ＣＳＩ−ｐａｒｔ１及びＣＳＩ−ｐａｒｔ２）の符号化ビットの数はまた、周波数ホッピング中に特定のルールに従った分割を通じて取得される。分割が説明される前に、以下の３つのパラメータが規定される。
【００９５】
ｈｏｐ１上でデータを搬送できるＲＥの数は、
【数６３】
2021534631.tif 000065
である。
【数６４】
2021534631.tif 000066
は、ｈｏｐ１におけるシンボルの数であり、
【数６５】
2021534631.tif 000067
は、セット
【数６６】
2021534631.tif 000068
のサイズであり、セット
【数６７】
2021534631.tif 000069
は、シンボルｌ上でデータを搬送できるＲＥの数である。
【００９６】
ｈｏｐ２上でデータを搬送できるＲＥの数は、
【数６８】
2021534631.tif 000070
である。
【数６９】
2021534631.tif 000071
は、ｈｏｐ２におけるシンボルの数である。
【００９７】
ＰＵＳＣＨのｈｏｐ１上の連続するＤＭＲＳシンボルの第１グループの後に、ＰＵＳＣＨシンボル上でデータを搬送できるＲＥの数は、
【数７０】
2021534631.tif 000072
である。ｌ（１）は、ＤＭＲＳを含んでおらず、かつ、連続するＤＭＲＳシンボルの第１グループの後にある第１シンボルのインデックスとして規定される。連続するＤＭＲＳシンボルのグループは、１つのＤＭＲＳシンボルを含んでよい、又は、複数の連続するＤＭＲＳシンボルを含んでよい。
【００９８】
ＵＣＩの部分（ＨＡＲＱ−ＡＣＫ、ＣＳＩ−ｐａｒｔ１及びＣＳＩ−ｐａｒｔ２）の符号化ビットの数についての周波数ホッピング分割ルールは以下のとおりである。
【００９９】
ＨＡＲＱ−ＡＣＫの符号化ビットの数についての周波数ホッピング分割ルールは以下のとおりである。
【０１００】
ＨＡＲＱ−ＡＣＫの符号化ビットの数がＧＡＣＫであると仮定すると、ｈｏｐ１及びｈｏｐ２上で送信されるＨＡＲＱ−ＡＣＫの符号化ビットの数は、それぞれ、
【数７１】
2021534631.tif 000073
及び、
ＧＡＣＫ（２）＝ＧＡＣＫ−ＧＡＣＫ（１）
である。
【０１０１】
ＣＳＩ−ｐａｒｔ１の符号化ビットの数についての周波数ホッピング分割ルールは以下のとおりである。
【０１０２】
ＣＳＩ−ｐａｒｔ１の符号化ビットの数がＧＣＳＩ−ｐａｒｔ１であると仮定すると、ｈｏｐ１及びｈｏｐ２上で送信されるＣＳＩ−ｐａｒｔ１の符号化ビットの数は、それぞれ、
【数７２】
2021534631.tif 000074
ＧＣＳＩ−ｐａｒｔ１（２）＝ＧＣＳＩ−ｐａｒｔ１−ＧＣＳＩ−ｐａｒｔ１（１）          （６）
である。
【０１０３】
式（５）における最小演算ｍｉｎ（・、・）が、コンマの左側に対して実行される場合、式（５）及び（６）を組み合わせることにより、
ＧＣＳＩ−ｐａｒｔ１（１）≦ＧＣＳＩ−ｐａｒｔ１（２）          （７）
が認識され得る。
【０１０４】
等号は、（２・ＮＬ・Ｑｍ）でちょうど割り切ることができる場合のみ有効である。
【０１０５】
ＣＳＩ−ｐａｒｔ２の符号化ビットの数についての周波数ホッピング分割ルールは以下のとおりである。
【０１０６】
ＣＳＩ−ｐａｒｔ２の符号化ビットの数がＧＣＳＩ−ｐａｒｔ２であると仮定すると、ｈｏｐ１及びｈｏｐ２上で送信されるＣＳＩ−ｐａｒｔ２の符号化ビットの数は、それぞれ、
ＧＣＳＩ−ｐａｒｔ２（１）＝Ｍ１・ＮＬ・Ｑｍ−ＧＣＳＩ−ｐａｒｔ１（１）          （８）
ＧＣＳＩ−ｐａｒｔ２（２）＝Ｍ２・ＮＬ・Ｑｍ−ＧＣＳＩ−ｐａｒｔ１（２）          （９）
である。
【０１０７】
以下の３つの条件がＵＣＩ−ｏｎｌｙのシナリオに存在する場合、ＣＳＩ−ｐａｒｔ１は不完全に送信される。
【０１０８】
条件１：ＣＳＩ−ｐａｒｔ１の符号化ビットの数が、ＰＵＳＣＨのｈｏｐ１及びｈｏｐ２上の予約されたＲＥ以外のデータを搬送できるすべてのＲＥ上にマッピングされる符号化ビットの数にちょうど等しい、すなわち、
【数７３】
2021534631.tif 000075
である。
【０１０９】
条件２：ＧＣＳＩ−ｐａｒｔ１は、（２・ＮＬ・Ｑｍ）でちょうど割り切ることができない。したがって、式（７）における等号は無効である、すなわち、
ＧＣＳＩ−ｐａｒｔ１（１）＜ＧＣＳＩ−ｐａｒｔ１（２）          （１１）
である。
【０１１０】
条件３：データを搬送するために用いられることができ、かつ、２つの周波数ホッピングリソースのＲＥの数は同一である、つまり、ＰＵＳＣＨのｈｏｐ１及びｈｏｐ２について、
Ｍ１＝Ｍ２          （１２）
である。
【０１１１】
式（８）、（９）、（１１）及び（１２）から、
ＧＣＳＩ−ｐａｒｔ２（１）＞ＧＣＳＩ−ｐａｒｔ２（２）          （１３）
が認識され得る。
【０１１２】
式（８）及び（９）を加えることにより、
ＧＣＳＩ−ｐａｒｔ２（１）＋ＧＣＳＩ−ｐａｒｔ２（２）＝（Ｍ１＋Ｍ２）・ＮＬ・Ｑｍ−ＧＣＳＩ−ｐａｒｔ１          （１４）
が取得され得る。
【０１１３】
式（１４）及び（１０）から、
【数７４】
2021534631.tif 000076
が取得され得る。
【０１１４】
式（１３）及び（１５）から、
【数７５】
2021534631.tif 000077
が取得され得る。
【０１１５】
式（１６）及び（４）から、
【数７６】
2021534631.tif 000078
が取得され得る。
【０１１６】
したがって、式（９）及び（１７）から、
【数７７】
2021534631.tif 000079
が認識され得る。
【０１１７】
つまり、ｈｏｐ２上のＣＳＩ−ｐａｒｔ１の符号化ビットの数は、予約されていないＲＥ上にマッピングされる符号化ビットの数より大きく、予約されたＲＥを用いることにより、ＣＳＩ−ｐａｒｔ１を搬送することができない。したがって、ＣＳＩ−ｐａｒｔ１は不完全に送信される。
【０１１８】
さらに、図３に示されるように、
【数７８】
2021534631.tif 000080
（式（１７））であることに起因して、送信されるデータがない予約されたＲＥがあり得る。ＰＵＳＣＨがシングルキャリア離散フーリエ変換スプレッド直交周波数分割多重（ｄｉｓｃｒｅｔｅ  Ｆｏｕｒｉｅｒ  ｔｒａｎｓｆｏｒｍ  ｓｐｒｅａｄ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＤＦＴ−ｓ−ＯＦＤＭ）を用いる場合、送信されるデータがない上述のＲＥは、ｈｏｐ２上の１つ又は複数のシンボルでのアップリンク伝送に対するシングルキャリア低ピーク対平均電力比（ｐｅａｋ−ｔｏ−ａｖｅｒａｇｅ  ｐｏｗｅｒ  ｒａｔｉｏ、ＰＡＰＲ）特性を損ない得る。
【０１１９】
さらに、本願において用いられるシンボルは、時間単位であり、直交周波数分割多重（ｏｒｔｈｏｇｏｎａｌ  ｆｒｅｑｕｅｎｃｙ−ｄｉｖｉｓｉｏｎ  ｍｕｌｔｉｐｌｅｘｉｎｇ、ＯＦＤＭ）シンボルであってよい。
【０１２０】
これを考慮して、本願は、通信方法を提供し、ＣＳＩ−ｐａｒｔ１が不完全に送信されるという課題を解決し、さらに、ＤＦＴ−ｓ−ＯＦＤＭ波形を用いることにより、信号がｈｏｐ２上で送信される場合に、シングルキャリア特性が損なわれるという課題を解決する。
【０１２１】
図４に示されるように、通信方法は、以下の段階を含む。
【０１２２】
Ｓ４１０．ダウンリンク制御情報を受信し、ダウンリンク制御情報は、ＰＵＳＣＨをスケジューリングするために用いられ、ＰＵＳＣＨは、ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある。
【０１２３】
ＰＵＳＣＨがＵＣＩのみを搬送するために用いられることは、通信プロトコルにおいて規定されているＵＣＩ−ｏｎｌｙのシナリオを指す。第１の周波数ホッピングリソース及び第２の周波数ホッピングリソースは、例えば、上記のｈｏｐ１及びｈｏｐ２である。オプションで、第１の周波数ホッピングリソースの周波数領域リソースは、第２の周波数ホッピングリソースの周波数領域リソースとは異なり、その差は、第１の周波数ホッピングリソースの周波数領域リソースは、第２の周波数ホッピングリソースの周波数領域リソースと部分的に重複する、又は、重複しないことを意味する。さらに、オプションで、第１の周波数ホッピングリソースの時間領域終了位置は、第２の周波数ホッピングリソースの時間領域開始位置に隣接している。代わりに、第１の周波数ホッピングリソースは、時間領域において連続する又は連続せず、第２の周波数ホッピングリソースは、時間領域において連続する又は連続しない。周波数ホッピングリソースの説明は、本願における別の方法又は実施例に適用され得る。
【０１２４】
Ｓ４１０において説明されるダウンリンク制御情報は、例えば、ＰＤＣＣＨ上で伝送されるダウンリンク制御情報（ｄｏｗｎｌｉｎｋ  ｃｏｎｔｒｏｌ  ｉｎｆｏｒｍａｔｉｏｎ、ＤＣＩ）である。基地局は、ＤＣＩにおける１ビットの異なる状態を用いることにより、ＰＵＳＣＨがＵＣＩのみを伝送するために用いられるか否かを示してよい。つまり、当該ビットの異なる状態を用いることにより、現在の通信シナリオがＵＣＩ−ｏｎｌｙのシナリオであるか否かが示される。
【０１２５】
Ｓ４２０．ＰＵＳＣＨ上で第１のＵＣＩを送信し、第１のＵＣＩは、ＨＡＲＱ−ＡＣＫ、ＣＳＩ−ｐａｒｔ１及びＣＳＩ−ｐａｒｔ２のうちの少なくとも１つを含む。
【０１２６】
第１の周波数ホッピングリソースにおける予約されたＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、２ビットよりも小さい又はこれに等しい可能性のあるＨＡＲＱ−ＡＣＫを伝送するために予約されている。ここでは、「可能性のあるＨＡＲＱ−ＡＣＫ伝送」がさらに説明される。本願の本実施形態において、ＨＡＲＱ−ＡＣＫは、ＰＵＳＣＨ上で伝送されてよい、又は、実際に伝送されなくてよい。ＨＡＲＱ−ＡＣＫが伝送されるか否かにかかわらず、これらのＲＥは予約される。これら予約される対象のＲＥは、ＲＥ上にマッピングされる符号化ビットの特定の数に対応する。具体的には、「可能性のあるＨＡＲＱ−ＡＣＫ伝送」において用いられるＨＡＲＱ−ＡＣＫビットの数は、２よりも大きくない。さらに、予約されたＲＥ上にマッピングされる符号化ビットの数は、具体的には、２に等しいＨＡＲＱ−ＡＣＫビットの数に基づいて計算される。本願の本実施形態において、実際の伝送がない場合、予約されたＲＥ上にマッピングされる符号化ビットの数は、予約されたＲＥにマッピングされることができる符号化ビットの数、又は、予約されたＲＥに対応する符号化ビットの対応する数として理解され得る。
【０１２７】
ＣＳＩ−ｐａｒｔ１における情報が不完全に送信される理由は、ＣＳＩ−ｐａｒｔ１の、第２の周波数ホッピングリソース上にマッピングされる符号化ビットの数が比較的少ないということにある。つまり、ＣＳＩ−ｐａｒｔ１をマッピングするために用いられる第２の周波数ホッピングリソース上のＲＥの数が比較的少なく、その結果、ＣＳＩ−ｐａｒｔ１を第２の周波数ホッピングリソース上にすべてマッピングすることができない。従来技術と比較して、本願は、第２の周波数ホッピングリソースにおける予約されたＲＥ上にマッピングされることができる符号化ビットの数を減らし、それにより、第２の周波数ホッピングリソースにおける、ＣＳＩ−ｐａｒｔ１をマッピングするために用いられるＲＥの数を増やす。これは、ＵＣＩ−ｏｎｌｙのシナリオにおける周波数ホッピングを通じたＵＣＩ伝送に起因して、ＣＳＩ−ｐａｒｔ１における情報が不完全に送信されるという課題を解決する。
【０１２８】
さらに、上述の解決手段では、第２の周波数ホッピングリソースにおける予約されたＲＥの数を減らし、第２の周波数ホッピングリソースにおけるＲＥ上で送信されるデータがない場合を回避する。したがって、方法４００では、ＣＳＩ−ｐａｒｔ１が不完全に送信されるという課題が解決され、図３に示される課題も解決される。
【０１２９】
「第１の周波数ホッピングリソースにおける予約されたＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくない」ということは、第２の周波数ホッピングリソースにおける予約されたＲＥの数が減らされて、その結果、第２の値が第１の値よりも大きい又はこれに等しいということを意味することを留意されたい。
【０１３０】
オプションで、方法４００は、さらに、
符号化ビットの第１の数
【数７９】
2021534631.tif 000081
を決定する段階であって、
【数８０】
2021534631.tif 000082
は、第１の周波数ホッピングリソース及び第２の周波数ホッピングリソースにおける予約されたＲＥ上にマッピングされることができる符号化ビットの数の合計であり、第１の値及び第２の値の両方は、
【数８１】
2021534631.tif 000083
に基づいて決定される、段階を含む。
【０１３１】
具体的には、「第１の周波数ホッピングリソース及び第２の周波数ホッピングリソースにおける予約されたＲＥ上にマッピングされる符号化ビットの数の合計」は、第１の周波数ホッピングリソースにおける予約されたＲＥ上にマッピングされることができる符号化ビットの数と、第２の周波数ホッピングリソースにおける予約されたＲＥ上にマッピングされることができる符号化ビットの数の合計を指すが、第１の周波数ホッピングリソースにおける予約されたＲＥ上に実際にマッピングされる符号化ビットの数及び第２の周波数ホッピングリソースにおける予約されたＲＥ上に実際にマッピングされる符号化ビットの数の合計として理解されるべきではない。
【０１３２】
オプションで、第１の値は、
【数８２】
2021534631.tif 000084
であり、
【数８３】
2021534631.tif 000085
であり、及び／又は、第２の値は、
【数８４】
2021534631.tif 000086
であり、
【数８５】
2021534631.tif 000087
であり、ＮＬは、ＰＵＳＣＨの伝送層の数であり、Ｑｍは、第１のＵＣＩの変調次数、すなわち、ＰＵＳＣＨ上で伝送されるＵＣＩの変調次数である。
【０１３３】
【数８６】
2021534631.tif 000088
は、
【数８７】
2021534631.tif 000089
に対する切り下げ演算を実行することにより取得され、及び／又は、
【数８８】
2021534631.tif 000090
は、
【数８９】
2021534631.tif 000091
に対する切り上げ演算を実行することにより取得され、その結果、第２の周波数ホッピングリソースにおける予約されたＲＥ上にマッピングされる符号化ビットの数（すなわち、予約されたＲＥの数）は、第１の周波数ホッピングリソースにおける予約されたＲＥ上にマッピングされる符号化ビットの数（すなわち、予約されたＲＥの数）よりも小さい又はこれに等しくなる。
【０１３４】
オプションで、
【数９０】
2021534631.tif 000092
及び、
【数９１】
2021534631.tif 000093
である、又は、
【数９２】
2021534631.tif 000094
及び、
【数９３】
2021534631.tif 000095
である。
【０１３５】
オプションで、方法４００は、さらに、
第１のＵＣＩにおけるＨＡＲＱ−ＡＣＫの符号化ビットの数ＧＡＣＫを決定する段階を含み、第１のＵＣＩにおけるＨＡＲＱ−ＡＣＫの、第１の周波数ホッピングリソース上にマッピングされる符号化ビットの数は、ＧＡＣＫ（１）であり、ＧＡＣＫ（１）の値は、
第１の周波数ホッピングリソース上の連続するＤＭＲＳシンボルの第１グループの後にあり、かつ、データを搬送するために用いられることができるＲＥ上にマッピングされる符号化ビットの数と、ＧＡＣＫに基づいて決定される第３の値との２つの値のうちの小さい方である。
【０１３６】
上述の説明は、次式
【数９４】
2021534631.tif 000096
を用いることにより表されてよい。
【０１３７】
【数９５】
2021534631.tif 000097
は、第３の値を表し、Ｍ３・ＮＬ・Ｑｍは、第１の周波数ホッピングリソース上の連続するＤＭＲＳシンボルの第１グループの後にあり、かつ、データを搬送するために用いられることができるＲＥ上にマッピングされる符号化ビットの数を表し、ＤＭＲＳシンボルは、ＤＭＲＳを搬送するために用いられるシンボルである。Ｍ３は、第１の周波数ホッピングリソース上の連続するＤＭＲＳシンボルの第１グループの後にあり、かつ、データを搬送するために用いられることができるＲＥの数であり、ＮＬは、ＰＵＳＣＨの伝送層の数であり、Ｑｍは、第１のＵＣＩの変調次数である。連続するＤＭＲＳシンボルの第１グループには、１つ又は複数のシンボルがあってよい。
【０１３８】
本願では、連続するＤＭＲＳシンボルの第１グループが時間領域における対応するリソース上の第１のＤＭＲＳシンボルから始まり、最後の連続するＤＭＲＳシンボルで終了することを留意されたい。詳細については、図５を参照されたい。図５において、４つのＰＵＳＣＨリソース、すなわち、ＰＵＳＣＨ１、ＰＵＳＣＨ２、ＰＵＳＣＨ３及びＰＵＳＣＨ４が上から下に示される（上から下までのシーケンスは、４つのＰＵＳＣＨリソース間を論理的に区別するためのみに用いられ、周波数領域の位置関係に対して課される制限はない）。ＰＵＳＣＨ１及びＰＵＳＣＨ３の開始シンボルは、ＤＭＲＳシンボルであり、ＰＵＳＣＨ２及びＰＵＳＣＨ４の開始シンボルは、ＤＭＲＳシンボルではない。さらに、ＰＵＳＣＨ１及びＰＵＳＣＨ２のそれぞれにおける連続するＤＭＲＳシンボルの第１グループは、１つのシンボルのみを含み、ＰＵＳＣＨ３及びＰＵＳＣＨ４のそれぞれにおける連続するＤＭＲＳシンボルの第１グループは、複数のシンボルを含む。
【０１３９】
オプションで、第１のＵＣＩにおけるＨＡＲＱ−ＡＣＫの、第２の周波数ホッピングリソース上にマッピングされる符号化ビットの数は、ＧＡＣＫ（２）であり、ＧＡＣＫ（２）＝ＧＡＣＫ−ＧＡＣＫ（１）である。
【０１４０】
本願における関連する用語の説明については、通信プロトコルにおける規定（３ＧＰＰ  ＴＳ３８．２１２  ｖ１５．２．０におけるセクション６．２．７）を参照されたい。
【０１４１】
以下では、さらに、本願において提供される周波数ホッピング伝送の例を提供する。
【０１４２】
段階１：ｇＮＢは、ＲＲＣシグナリングを用いることにより、ＵＥに対して、パラメータ、例えば、スケールパラメータα及び符号化率補償パラメータ（
【数９６】
2021534631.tif 000098
【数９７】
2021534631.tif 000099
及び、
【数９８】
2021534631.tif 000100
）を構成し、スケールパラメータαの値は、０よりも大きく、かつ、１よりも小さい又はこれに等しく、符号化率補償パラメータに対して、１つ又は複数の値のグループが構成されてよい。１つの値のグループが構成される場合、当該値のグループが後続の段階において直接用いられる。複数の値のグループが構成される場合、段階２におけるダウンリンク制御情報（ｄｏｗｎｌｉｎｋ  ｃｏｎｔｒｏｌ  ｉｎｆｏｒｍａｔｉｏｎ、ＤＣＩ）は、値のグループのインデックスを示すために用いられてよい。
【０１４３】
段階２：ｇＮＢは、ＰＤＣＣＨ上でＤＣＩをＵＥに送信し、ＤＣＩは、限定されることはないが、ＵＥに割り当てられるＰＵＳＣＨリソース、ＰＵＳＣＨがＵＣＩ−ｏｎｌｙであるか否か（又は、ＰＵＳＣＨがＵＬ−ＳＣＨを含むか否か）、ＰＵＳＣＨに対して、周波数ホッピングが実行されるか否か、及び、変調及び符号化スキームインデックス（ＩＭＣＳ）、ＰＵＳＣＨの伝送層の数ＮＬ、及び、
【数９９】
2021534631.tif 000101
【数１００】
2021534631.tif 000102
及び、
【数１０１】
2021534631.tif 000103
のインデックス（任意）などのパラメータについての情報を含む。
【０１４４】
段階３：ＤＣＩを受信した後に、ＵＥは、ＤＣＩを解析して、ＵＥに割り当てられたＰＵＳＣＨリソース、ＰＵＳＣＨがＵＣＩ−ｏｎｌｙであるか否か、ＰＵＳＣＨに対して、周波数ホッピングが実行されるか否か、及び、ＩＭＣＳ及びＰＵＳＣＨの伝送層の数ＮＬなどのパラメータを取得する。ＵＥは、ＩＭＣＳを用いることにより、表検索を通じて、符号化率Ｒ及び変調次数Ｑｍを取得する。ＤＣＩが
【数１０２】
2021534631.tif 000104
【数１０３】
2021534631.tif 000105
及び、
【数１０４】
2021534631.tif 000106
のインデックスを含む場合、ＵＥは、インデックスに基づいて、解析を通じて、
【数１０５】
2021534631.tif 000107
【数１０６】
2021534631.tif 000108
及び、
【数１０７】
2021534631.tif 000109
の値を取得し、当該値を後続の段階において用いる。
【０１４５】
段階４：解析を通じて、ＰＵＳＣＨがＵＣＩ−ｏｎｌｙであることをＵＥが取得し、ＵＥにより送信される必要があるＨＡＲＱ−ＡＣＫ情報ビットの数が２よりも大きくない（つまり、ＨＡＲＱ−ＡＣＫ情報ビットの数が０、１又は２である）場合、ＵＥは、次式（次式において、分子の２は、ＨＡＲＱ−ＡＣＫ情報ビットの数が２であることに基づいて、計算が実行されることを示す）に従って、ＨＡＲＱ−ＡＣＫのために予約されている予約されたＲＥの数を計算する。
【数１０８】
2021534631.tif 000110
【０１４６】
【数１０９】
2021534631.tif 000111
は、ＰＵＳＣＨ上のシンボルｌ上でＵＣＩを搬送できるＲＥの数であり、ｌ０は、ＰＵＳＣＨの第１のＤＭＲＳシンボルのインデックスであり、又は、ＤＭＲＳを含んでおらず、連続する複数のＤＭＲＳの第１グループの後にある第１シンボルのインデックスであり、
【数１１０】
2021534631.tif 000112
は、ＰＵＳＣＨのシンボルの数である。
【０１４７】
次に、ＨＡＲＱ−ＡＣＫのために予約される必要があり得る予約されたＲＥ上にマッピングされる符号化ビットの数
【数１１１】
2021534631.tif 000113
が、取得したＱ'ＡＣＫに基づいて計算される。
【０１４８】
さらに、ＵＥは、α、
【数１１２】
2021534631.tif 000114
【数１１３】
2021534631.tif 000115
【数１１４】
2021534631.tif 000116
、Ｒ、Ｑｍ及びＮＬなどのパラメータに基づいて、ＨＡＲＱ−ＡＣＫの符号化ビットの数ＧＡＣＫ、ＣＳＩ−ｐａｒｔ１の符号化ビットの数ＧＣＳＩ−ｐａｒｔ１、及び、ＣＳＩ−ｐａｒｔ２の符号化ビットの数ＧＣＳＩ−ｐａｒｔ２を計算する。
【０１４９】
段階５：ＵＥがＰＵＳＣＨを解析するために、周波数ホッピングを実行する必要がある場合、ＵＥは、次式に従って、ｈｏｐ１及びｈｏｐ２上のそれぞれのＨＡＲＱ−ＡＣＫの符号化ビットの数、ＣＳＩ−ｐａｒｔ１の符号化ビットの数、及び、ＣＳＩ−ｐａｒｔ２の符号化ビットの数を計算する。
【数１１５】
2021534631.tif 000117
又は、
【数１１６】
2021534631.tif 000118
ＧＡＣＫ（２）＝ＧＡＣＫ−ＧＡＣＫ（１）
【数１１７】
2021534631.tif 000119
ＧＣＳＩ−ｐａｒｔ１（２）＝ＧＣＳＩ−ｐａｒｔ１−ＧＣＳＩ−ｐａｒｔ１（１）
ＧＣＳＩ−ｐａｒｔ２（１）＝Ｍ１・ＮＬ・Ｑｍ−ＧＣＳＩ−ｐａｒｔ１（１）、及び
ＧＣＳＩ−ｐａｒｔ２（１）＝Ｍ２・ＮＬ・Ｑｍ−ＧＣＳＩ−ｐａｒｔ１（２）
【０１５０】
ＵＥは、次式に従って、ｈｏｐ１及びｈｏｐ２上のＨＡＲＱ−ＡＣＫのために予約されている予約されたＲＥ上にマッピングされる符号化ビットの数を計算する。
【数１１８】
2021534631.tif 000120
及び、
【数１１９】
2021534631.tif 000121
【０１５１】
段階６：ＵＥは、段階５において計算されたパラメータに基づいて、ＨＡＲＱ−ＡＣＫの符号化ビット、ＣＳＩ−ｐａｒｔ１及びＣＳＩ−ｐａｒｔ２をＰＵＳＣＨ上にマッピングする。
【０１５２】
以下では、いくつかの例を用いて、本願において提供される通信方法（例えば、
【数１２０】
2021534631.tif 000122
及び、
【数１２１】
2021534631.tif 000123
を用いることにより、周波数ホッピング伝送が実行される）を用いることにより、２つのｈｏｐ上にマッピングされる符号化ビットの数を計算することによりもたらされる有利な効果を説明する。表１は、従来技術における方法を用いることにより得られた結果であり、表２は、本願における方法を用いることにより得られた結果である。
【表１】
2021534631.tif 000124
【０１５３】
表１の最後から２行目及び最後から３行目から、ｈｏｐ２上の予約されていないＲＥ上で伝送される符号化ビットの数は、ＣＳＩ−ｐａｒｔ１の、予約されていないＲＥ上にマッピングされる符号化ビットの数とは異なることが認識され得る。したがって、ＣＳＩ−ｐａｒｔ１は、ｈｏｐ２上の予約されていないＲＥ上で完全に搬送することができず、その結果、ＣＳＩ−ｐａｒｔ１は、不完全に送信される。表１の最後の行及び最後から４行目から、ｈｏｐ２上の予約されたＲＥ上にマッピングされる符号化ビットの数
【数１２２】
2021534631.tif 000125
は、ＣＳＩ−ｐａｒｔ２の、ｈｏｐ２上にマッピングされる符号化ビットの数よりも大きいことが認識され得る。したがって、いくつかの予約されたＲＥ上で送信されるデータがない。ＰＵＳＣＨがＤＦＴ−ｓ−ＯＦＤＭを用いる場合、シングルキャリア低ＰＡＰＲ特性が損なわれる。
【０１５４】
上述の例は、単に説明のためのものである。
【０１５５】
表２は、本願において提供される通信方法を用いることによる計算の結果を示す。表２の最後から２行目及び最後から３行目から、ｈｏｐ２上の予約されていないＲＥ上で伝送される符号化ビットの数は、ＣＳＩ−ｐａｒｔ１の、予約されていないＲＥ上にマッピングされる符号化ビットの数と同一であることが認識され得る。表２の最後の行及び最後から４行目から、ｈｏｐ２上の予約されたＲＥ上にマッピングされる符号化ビットの数
【数１２３】
2021534631.tif 000126
は、ＣＳＩ−ｐａｒｔ２の、ｈｏｐ２上にマッピングされる符号化ビットの数に等しく、すべての予約されたＲＥ上に送信されるデータがあることが認識され得る。本発明における計算方法において、２つのｈｏｐにおける予約されていないＲＥ上にマッピングされる符号化ビットの数、及び、２つのｈｏｐ上のＣＳＩ−ｐａｒｔ１の符号化ビットの数の両方が一貫しており、それにより、従来技術における課題を解決することが認識され得る。
【表２】
2021534631.tif 000127
【０１５６】
従来技術において提供されるＨＡＲＱ−ＡＣＫの符号化ビットの数についての周波数ホッピング分割ルールは、以下のとおりである。
【０１５７】
ＨＡＲＱ−ＡＣＫの符号化ビットの数がＧＡＣＫであると仮定すると、ｈｏｐ１及びｈｏｐ２上で送信されるＨＡＲＱ−ＡＣＫの符号化ビットの数は、それぞれ、
【数１２４】
2021534631.tif 000128
ＧＡＣＫ（２）＝ＧＡＣＫ−ＧＡＣＫ（１）
である。
【０１５８】
上述の分割ルールについての課題は、ｈｏｐ１上の予約されていないＲＥが、ｈｏｐ１上でＣＳＩ−ｐａｒｔ１の符号化ビットの数を搬送するには不十分であり、その結果、ＣＳＩ−ｐａｒｔ１が不完全に送信されるということである。
【０１５９】
理由は以下のとおりである。
【０１６０】
式（Ｘ）において、最小関数ｍｉｎ（・、・）の右辺におけるパラメータＭ１・ＮＬ・Ｑｍ−ＧＡＣＫ（１）をとる関数は、ｈｏｐ１上のＣＳＩ−ｐａｒｔ１に対して占有されるリソースに対する上限（以下では、第１の上限と称される）を設定する、つまり、ＣＳＩ−ｐａｒｔ１は、ｈｏｐ１上のＨＡＲＱ−ＡＣＫに対するリソースを占有できない。しかしながら、通信プロトコルにおける仕様書に基づいて、ＣＳＩ−ｐａｒｔ１は、ｈｏｐ１上の予約されたＲＥリソースを占有できない、つまり、ＣＳＩ−ｐａｒｔ１は、（以下では、第２の上限と称される）上限
【数１２５】
2021534631.tif 000129
を超えるべきではない。
【０１６１】
ＨＡＲＱ−ＡＣＫ情報ビットの数が０、１又は２である場合、ＧＡＣＫは、ＨＡＲＱ−ＡＣＫ情報ビットの実際の数に基づいて計算される符号化ビットの数であり、
【数１２６】
2021534631.tif 000130
は、予約されたＲＥ上にマッピングされる符号化ビットの、ＨＡＲＱ−ＡＣＫ情報ビットの数が２であることに基づいて計算される数である。したがって、ＨＡＲＱ−ＡＣＫ情報ビットの実際の数が０又は１である場合、ｈｏｐ１に関して、
【数１２７】
2021534631.tif 000131
であり、かつ、
【数１２８】
2021534631.tif 000132
である。この場合、第１の上限は、第２の上限よりも大きい。その結果、ｈｏｐ１上の予約されていないＲＥは、ｈｏｐ１上のＣＳＩ−ｐａｒｔ１の符号化ビットの数ＧＣＳＩ−ｐａｒｔ１（１）を搬送するには不十分であり得る。
【０１６２】
これを考慮して、本願は、別の通信方法６００を提供する。方法６００は、上述の方法に基づいて実施されてよい、又は、上述の方法と組み合わせて実施されてよい、又は、独立して実施されてよい。図６に示されるように、方法は、以下の段階を含む。
【０１６３】
Ｓ６１０．ダウンリンク制御情報を受信し、ダウンリンク制御情報は、ＰＵＳＣＨをスケジューリングするために用いられ、ＰＵＳＣＨは、ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある。
【０１６４】
Ｓ６２０．ＰＵＳＣＨ上で第１のＵＣＩを送信し、第１のＵＣＩは、ＨＡＲＱ−ＡＣＫ、ＣＳＩ−ｐａｒｔ１及びＣＳＩ−ｐａｒｔ２のうちの少なくとも１つを含む。
【０１６５】
第１のＵＣＩにおけるＣＳＩ−ｐａｒｔ１の、第１の周波数ホッピングリソース上にマッピングされる符号化ビットの数ＧＣＳＩ−ｐａｒｔ１（１）は、第４の値及び第５の値のうちの小さい方であり、第４の値は、第１のＵＣＩにおけるＣＳＩ−ｐａｒｔ１の符号化ビットの数ＧＣＳＩ−ｐａｒｔ１に基づいて決定され、第５の値は、ＧＡＣＫ（１）及び
【数１２９】
2021534631.tif 000133
のうちの大きい方の値に基づいて決定され、又は、第５の値は、ＧＡＣＫ（１）に基づいて決定され、ＧＡＣＫ（１）は、第１のＵＣＩにおけるＨＡＲＱ−ＡＣＫの、第１の周波数ホッピングリソース上にマッピングされる符号化ビットの数であり、
【数１３０】
2021534631.tif 000134
は、第１の周波数ホッピングリソースにおける予約されたＲＥ上にマッピングされることができる符号化ビットの数である。
【０１６６】
従来技術では、第５の値は、ＧＡＣＫ（１）のみに基づいて決定されている。例えば、従来技術において、第５の値は、Ｍ１・ＮＬ・Ｑｍ−ＧＡＣＫ（１）であり、このパラメータは、第１の周波数ホッピングリソース上のＣＳＩ−ｐａｒｔ１により占有されるリソースに対する上限（すなわち、第１の上限）を設定する。さらに、ＣＳＩ−ｐａｒｔ１は、第１の周波数ホッピングリソースにおける予約されたＲＥを占有できない。つまり、ＧＣＳＩ−ｐａｒｔ１（１）はまた、上限
【数１３１】
2021534631.tif 000135
（すなわち、第２の上限）を超えるべきではない。ＨＡＲＱ−ＡＣＫ情報ビットの数が０、１又は２である場合、ＧＡＣＫ（１）は、ＨＡＲＱ−ＡＣＫ情報ビットの実際の数に基づいて計算される符号化ビットの数であり、
【数１３２】
2021534631.tif 000136
は、予約されたＲＥ上にマッピングされる符号化ビットの、ＨＡＲＱ−ＡＣＫ情報ビットの数が２であることに基づいて計算される数である。したがって、ＨＡＲＱ−ＡＣＫ情報ビットの実際の数が０又は１である場合、
【数１３３】
2021534631.tif 000137
であり、かつ、
【数１３４】
2021534631.tif 000138
である。つまり、第１の周波数ホッピングリソースにおいて、
【数１３５】
2021534631.tif 000139
である。この場合、第１の上限は、第２の上限よりも大きい。従来技術では、第５の値がＧＡＣＫ（１）のみに基づいて決定される場合、第１の周波数ホッピングリソースにおける予約されていないＲＥは、第１の周波数ホッピングリソース上でＣＳＩ−ｐａｒｔ１の符号化ビットの数ＧＣＳＩ−ｐａｒｔ１（１）を搬送するには不十分であり得る。
【０１６７】
本願において提供される解決手段では、第５の値は、ＧＡＣＫ（１）及び
【数１３６】
2021534631.tif 000140
のうちの大きい方に基づいて決定され（ＨＡＲＱ−ＡＣＫビットの数が２よりも大きい場合、
【数１３７】
2021534631.tif 000141
は、０に等しい）、第１の周波数ホッピングリソースにおける実際の予約されていないＲＥを基準として用いることによりＧＣＳＩ−ｐａｒｔ１（１）が計算されることを保証し、それにより、ＣＳＩ−ｐａｒｔ１が不完全に送信されるという上述の課題を回避する。
【０１６８】
オプションで、第５の値がＧＡＣＫ（１）及び
【数１３８】
2021534631.tif 000142
のうちの大きい方の値に基づいて決定されることは、第５の値が
【数１３９】
2021534631.tif 000143
に等しいことを含む、又は、
第５の値がＧＡＣＫ（１）に基づいて決定されることは、ＨＡＲＱ−ＡＣＫビットの数が２よりも大きい場合、第５の値は、Ｍ１・ＮＬ・Ｑｍ−ＧＡＣＫ（１）に等しい、又は、ＨＡＲＱ−ＡＣＫビットが２よりも小さい又はこれに等しい場合、第５の値は、
【数１４０】
2021534631.tif 000144
に等しいことを含む。
【０１６９】
Ｍ１は、データを搬送でき、かつ、第１の周波数ホッピングリソースにあるＲＥの数であり、ＮＬは、ＰＵＳＣＨの伝送層の数であり、Ｑｍは、第１のＵＣＩの変調次数である。
【０１７０】
オプションで、第４の値が第１のＵＣＩにおけるＣＳＩ−ｐａｒｔ１の符号化ビットの数ＧＣＳＩ−ｐａｒｔ１に基づいて決定されることは、第４の値が、
【数１４１】
2021534631.tif 000145
に等しいことを含み、ＮＬは、ＰＵＳＣＨの伝送層の数であり、Ｑｍは、第１のＵＣＩの変調次数である。
【０１７１】
方法６００は、別々に実施されてよい、又は、方法４００と共同で実施されてよい。
【０１７２】
本願は、さらに、通信方法を提供する。図７に示されるように、方法７００は、以下の段階を含む。
【０１７３】
Ｓ７１０．ダウンリンク制御情報を送信し、ダウンリンク制御情報は、ＰＵＳＣＨをスケジューリングするために用いられ、ＰＵＳＣＨは、ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある。
【０１７４】
Ｓ７２０．ＰＵＳＣＨ上で第１のＵＣＩを受信し、第１のＵＣＩは、ＨＡＲＱ−ＡＣＫ、ＣＳＩ−ｐａｒｔ１及びＣＳＩ−ｐａｒｔ２のうちの少なくとも１つを含み、第１の周波数ホッピングリソースにおける予約されたＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、２ビットよりも小さい又はこれに等しい可能性のあるＨＡＲＱ−ＡＣＫを伝送するために予約されている。
【０１７５】
ＣＳＩ−ｐａｒｔ１における情報が不完全に送信される理由は、ＣＳＩ−ｐａｒｔ１の、第２の周波数ホッピングリソース上にマッピングされる符号化ビットの数が比較的少ないということにある。つまり、ＣＳＩ−ｐａｒｔ１をマッピングするために用いられる第２の周波数ホッピングリソース上のＲＥの数が比較的少なく、その結果、ＣＳＩ−ｐａｒｔ１を第２の周波数ホッピングリソース上にすべてマッピングすることができない。従来技術と比較して、本願は、第２の周波数ホッピングリソースにおける予約されたＲＥ上にマッピングされることができる符号化ビットの数を減らし、それにより、第２の周波数ホッピングリソースにおける、ＣＳＩ−ｐａｒｔ１をマッピングするために用いられるＲＥの数を増やす。これは、ＵＣＩ−ｏｎｌｙのシナリオにおける周波数ホッピングを通じたＵＣＩ伝送に起因して、ＣＳＩ−ｐａｒｔ１における情報が不完全に送信されるという課題を解決する。
【０１７６】
当業者であれば、方法７００が方法４００に対応することを理解し得る。簡潔にするために、ここでは詳細について改めて説明しない。
【０１７７】
オプションで、第１の値は、
【数１４２】
2021534631.tif 000146
であり、
【数１４３】
2021534631.tif 000147
であり、及び／又は、
第２の値は、
【数１４４】
2021534631.tif 000148
であり、
【数１４５】
2021534631.tif 000149
であり、ＮＬは、ＰＵＳＣＨの伝送層の数であり、Ｑｍは、第１のＵＣＩの変調次数である。
【０１７８】
オプションで、
【数１４６】
2021534631.tif 000150
及び、
【数１４７】
2021534631.tif 000151
である、又は、
【数１４８】
2021534631.tif 000152
及び、
【数１４９】
2021534631.tif 000153
である。
【０１７９】
オプションで、第１のＵＣＩにおけるＨＡＲＱ−ＡＣＫの、第１の周波数ホッピングリソース上にマッピングされる符号化ビットの数は、ＧＡＣＫ（１）であり、ＧＡＣＫ（１）の値は、
第１の周波数ホッピングリソース上の連続するＤＭＲＳシンボルの第１グループの後にあり、かつ、データを搬送するために用いられることができるＲＥ上にマッピングされる符号化ビットの数と、ＧＡＣＫに基づいて決定される第３の値との２つの値のうちの小さい方であり、ＧＡＣＫは、第１のＵＣＩにおけるＨＡＲＱ−ＡＣＫの符号化ビットの数である。
【０１８０】
オプションで、第１の周波数ホッピングリソース上の連続するＤＭＲＳシンボルの第１グループの後にあり、かつ、データを搬送するために用いられることができるＲＥ上にマッピングされる符号化ビットの数の値は、Ｍ３・ＮＬ・Ｑｍに等しく、Ｍ３は、第１の周波数ホッピングリソース上の連続するＤＭＲＳシンボルの第１グループの後にあり、かつ、データを搬送するために用いられることができるＲＥの数であり、ＮＬは、ＰＵＳＣＨの伝送層の数であり、Ｑｍは、第１のＵＣＩの変調次数であり、第３の値は、
【数１５０】
2021534631.tif 000154
である。第１のＵＣＩにおけるＨＡＲＱ−ＡＣＫのビットの数は２よりも大きくない。
【０１８１】
上述の解決手段は、式
【数１５１】
2021534631.tif 000155
において説明される内容である。
【０１８２】
オプションで、第１のＵＣＩにおけるＨＡＲＱ−ＡＣＫの、第２の周波数ホッピングリソース上にマッピングされる符号化ビットの数は、ＧＡＣＫ（２）であり、ＧＡＣＫ（２）＝ＧＡＣＫ−ＧＡＣＫ（１）である。
【０１８３】
本願は、さらに、通信方法を提供する。図８に示されるように、方法８００は、以下の段階を含む。
【０１８４】
Ｓ８１０．ダウンリンク制御情報を送信し、ダウンリンク制御情報は、ＰＵＳＣＨをスケジューリングするために用いられ、ＰＵＳＣＨは、ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある。
【０１８５】
Ｓ８２０．ＰＵＳＣＨ上で第１のＵＣＩを受信し、第１のＵＣＩは、ＨＡＲＱ−ＡＣＫ、ＣＳＩ−ｐａｒｔ１及びＣＳＩ−ｐａｒｔ２のうちの少なくとも１つを含む。
【０１８６】
第１のＵＣＩにおけるＣＳＩ−ｐａｒｔ１の、第１の周波数ホッピングリソース上にマッピングされる符号化ビットの数ＧＣＳＩ−ｐａｒｔ１（１）は、第４の値及び第５の値のうちの小さい方であり、第４の値は、第１のＵＣＩにおけるＣＳＩ−ｐａｒｔ１の符号化ビットの数ＧＣＳＩ−ｐａｒｔ１に基づいて決定され、第５の値は、ＧＡＣＫ（１）及び
【数１５２】
2021534631.tif 000156
のうちの大きい方の値に基づいて決定され、又は、第５の値は、ＧＡＣＫ（１）に基づいて決定され、ＧＡＣＫ（１）は、第１のＵＣＩにおけるＨＡＲＱ−ＡＣＫの、第１の周波数ホッピングリソース上にマッピングされる符号化ビットの数であり、
【数１５３】
2021534631.tif 000157
は、第１の周波数ホッピングリソースにおける予約されたＲＥ上にマッピングされることができる符号化ビットの数である。
【０１８７】
従来技術では、第５の値は、ＧＡＣＫ（１）のみに基づいて決定されている。例えば、従来技術において、第５の値は、Ｍ１・ＮＬ・Ｑｍ−ＧＡＣＫ（１）であり、このパラメータは、第１の周波数ホッピングリソース上のＣＳＩ−ｐａｒｔ１により占有されるリソースに対する上限（すなわち、第１の上限）を設定する。さらに、ＣＳＩ−ｐａｒｔ１は、第１の周波数ホッピングリソースにおける予約されたＲＥを占有できない。つまり、ＧＣＳＩ−ｐａｒｔ１（１）はまた、上限
【数１５４】
2021534631.tif 000158
（すなわち、第２の上限）を超えるべきではない。ＨＡＲＱ−ＡＣＫ情報ビットの数が０、１又は２である場合、ＧＡＣＫ（１）は、ＨＡＲＱ−ＡＣＫ情報ビットの実際の数に基づいて計算される符号化ビットの数であり、
【数１５５】
2021534631.tif 000159
は、予約されたＲＥ上にマッピングされる符号化ビットの、ＨＡＲＱ−ＡＣＫ情報ビットの数が２であることに基づいて計算される数である。したがって、ＨＡＲＱ−ＡＣＫ情報ビットの実際の数が０又は１である場合、
【数１５６】
2021534631.tif 000160
であり、かつ、
【数１５７】
2021534631.tif 000161
である。つまり、第１の周波数ホッピングリソースにおいて、
【数１５８】
2021534631.tif 000162
である。この場合、第１の上限は、第２の上限よりも大きい。従来技術では、第５の値がＧＡＣＫ（１）のみに基づいて決定される場合、第１の周波数ホッピングリソースにおける予約されていないＲＥは、第１の周波数ホッピングリソース上でＣＳＩ−ｐａｒｔ１の符号化ビットの数ＧＣＳＩ−ｐａｒｔ１（１）を搬送するには不十分であり得る。
【０１８８】
本願において提供される解決手段では、第５の値は、ＧＡＣＫ（１）及び
【数１５９】
2021534631.tif 000163
のうちの大きい方に基づいて決定され（ＨＡＲＱ−ＡＣＫビットの数が２よりも大きい場合、
【数１６０】
2021534631.tif 000164
は、０に等しい）、第１の周波数ホッピングリソースにおける実際の予約されていないＲＥを基準として用いることによりＧＣＳＩ−ｐａｒｔ１（１）が計算されることを保証し、それにより、ＣＳＩ−ｐａｒｔ１が不完全に送信されるという上述の課題を回避する。
【０１８９】
当業者であれば、方法８００が方法６００に対応することを理解し得る。簡潔にするために、ここでは詳細について改めて説明しない。
【０１９０】
オプションで、第５の値がＧＡＣＫ（１）及び
【数１６１】
2021534631.tif 000165
のうちの大きい方の値に基づいて決定されることは、第５の値が
【数１６２】
2021534631.tif 000166
に等しいことを含む、又は、
第５の値がＧＡＣＫ（１）に基づいて決定されることは、ＨＡＲＱ−ＡＣＫビットの数が２よりも大きい場合、第５の値は、Ｍ１・ＮＬ・Ｑｍ−ＧＡＣＫ（１）に等しい、又は、ＨＡＲＱ−ＡＣＫビットが２よりも小さい又はこれに等しい場合、第５の値は、
【数１６３】
2021534631.tif 000167
に等しいことを含む。
【０１９１】
Ｍ１は、データを搬送でき、かつ、第１の周波数ホッピングリソースにあるＲＥの数であり、ＮＬは、ＰＵＳＣＨの伝送層の数であり、Ｑｍは、第１のＵＣＩの変調次数である。
【０１９２】
オプションで、第４の値が第１のＵＣＩにおけるＣＳＩ−ｐａｒｔ１の符号化ビットの数ＧＣＳＩ−ｐａｒｔ１に基づいて決定されることは、第４の値が、
【数１６４】
2021534631.tif 000168
に等しいことを含み、ＮＬは、ＰＵＳＣＨの伝送層の数であり、Ｑｍは、第１のＵＣＩの変調次数である。
【０１９３】
別の実施例では、通信方法が提供され、方法は、
インジケーション情報を受信する段階であって、インジケーション情報は、物理アップリンク共有チャネルＰＵＳＣＨをスケジューリングするために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある、段階と、
ＰＵＳＣＨ上で第１のＵＣＩを送信する段階であって、第１のＵＣＩは、伝送ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを含む、段階とを含む。
【０１９４】
第１の周波数ホッピングリソースにおける予約されたリソースエレメントＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、ビット数が２よりも大きくない可能性のあるＨＡＲＱ−ＡＣＫを伝送するために予約されている。
【０１９５】
オプションで、方法は、端末デバイスにより実行されてよい、又は、端末デバイスに統合される又は端末デバイスとは別個である装置又はチップにより実行されてよい。
【０１９６】
これに対応して、本実施例は、装置を提供し、装置は、
インジケーション情報を受信するように構成される受信ユニットであって、インジケーション情報は、物理アップリンク共有チャネルＰＵＳＣＨをスケジューリングするために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある、受信ユニットと、
ＰＵＳＣＨ上で第１のＵＣＩを送信するように構成される送信ユニットであって、第１のＵＣＩは、伝送ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを含む、送信ユニットとを含む。
【０１９７】
第１の周波数ホッピングリソースにおける予約されたリソースエレメントＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、ビット数が２よりも大きくない可能性のあるＨＡＲＱ−ＡＲＫ伝送のために予約されている。
【０１９８】
本実施例は、さらに、本実施例により提供される前の通信方法に対応する別の通信方法を提供する。２つの通信方法は、両方の相互作用する当事者により実行される。方法は、
インジケーション情報を送信する段階であって、インジケーション情報は、物理アップリンク共有チャネルＰＵＳＣＨをスケジューリングするために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある、段階と、
ＰＵＳＣＨ上で第１のＵＣＩを受信する段階であって、第１のＵＣＩは、伝送ハイブリッド自動再送要求−確認応答ＨＡＲＱ−ＡＣＫ、チャネル状態情報パート１ＣＳＩ−ｐａｒｔ１、及び、チャネル状態情報パート２ＣＳＩ−ｐａｒｔ２のうちの少なくとも１つを含む、段階とを含む。
【０１９９】
第１の周波数ホッピングリソースにおける予約されたリソースエレメントＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、ビット数が２よりも大きくない可能性のあるＨＡＲＱ−ＡＲＫ伝送のために予約されている。
【０２００】
オプションで、方法は、ネットワークデバイスにより実行されてよい、又は、ネットワークデバイスに統合される又はネットワークデバイスとは別個である装置又はチップにより実行されてよい。
【０２０１】
これに対応して、本実施例は、装置を提供し、装置は、
インジケーション情報を送信するように構成される送信ユニットであって、インジケーション情報は、物理アップリンク共有チャネルＰＵＳＣＨをスケジューリングするために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある、送信ユニットと、
ＰＵＳＣＨ上で第１のＵＣＩを受信するように構成される受信ユニットであって、第１のＵＣＩは、伝送ハイブリッド自動再送要求−確認応答ＨＡＲＱ−ＡＣＫ、チャネル状態情報パート１ＣＳＩ−ｐａｒｔ１、及び、チャネル状態情報パート２ＣＳＩ−ｐａｒｔ２のうちの少なくとも１つを含む、受信ユニットとを含む。
【０２０２】
第１の周波数ホッピングリソースにおける予約されたリソースエレメントＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、ビット数が２よりも大きくない可能性のあるＨＡＲＱ−ＡＲＫ伝送のために予約されている。
【０２０３】
さらに、本実施例では、以下のとおりである。
【０２０４】
任意の設計において、ＰＵＳＣＨは、アップリンク共有チャネルＵＬ−ＳＣＨを含み、第１のＵＣＩは、ＨＡＲＱ−ＡＣＫを含み、ＨＡＲＱ−ＡＣＫの、第１の周波数ホッピングリソース上にマッピングされる符号化ビットの数は第６の値であり、ＨＡＲＱ−ＡＣＫの、第２の周波数ホッピングリソース上にマッピングされる符号化ビットの数は第７の値であり、第６の値は、第７の値よりも小さくない。
【０２０５】
任意の設計において、第１のＵＣＩに含まれるＨＡＲＱ−ＡＣＫのマッピングされる符号化ビットの数は、ＧＡＣＫ，ｗｉｔｈＵＬ−ＳＣＨであり、
第６の値は、ＧＡＣＫ，ｗｉｔｈＵＬ−ＳＣＨ（１）であり、
【数１６５】
2021534631.tif 000169
であり、及び／又は、
第７の値は、ＧＡＣＫ，ｗｉｔｈＵＬ−ＳＣＨ（２）であり、
【数１６６】
2021534631.tif 000170
であり、
ＮＬは、ＰＵＳＣＨの伝送層の数であり、Ｑｍは、ＵＬ−ＳＣＨ及び第１のＵＣＩの変調次数である。
【０２０６】
任意の設計において、第６の値は、
【数１６７】
2021534631.tif 000171
であり、第７の値は、ＧＡＣＫ，ｗｉｔｈＵＬ−ＳＣＨ（２）＝ＧＡＣＫ，ｗｉｔｈＵＬ−ＳＣＨ−ＧＡＣＫ，ｗｉｔｈＵＬ−ＳＣＨ（１）である、又は、
第７の値は、
【数１６８】
2021534631.tif 000172
であり、第６の値は、ＧＡＣＫ，ｗｉｔｈＵＬ−ＳＣＨ（１）＝ＧＡＣＫ，ｗｉｔｈＵＬ−ＳＣＨ−ＧＡＣＫ，ｗｉｔｈＵＬ−ＳＣＨ（２）である。
【０２０７】
本実施例において用いられるパラメータの規定については、上述の記載及び説明を参照されることに留意されたい。
【０２０８】
上述では、本願において提供される通信方法の例を詳細に説明した。上述の機能を実装するために、通信装置は、各機能を実行するための対応するハードウェア構成及び／又はソフトウェアモジュールを含むことが理解され得る。当業者であれば、本明細書において開示される実施形態において説明される例のユニット及びアルゴリズム段階と組み合わせて、本願は、ハードウェア、又は、ハードウェア及びコンピュータソフトウェアの組み合わせにより実装され得ることが容易に認識されるはずである。機能が、ハードウェア、又は、コンピュータソフトウェアにより駆動されるハードウェアにより実行されるかは、技術的解決手段の特定のアプリケーションと設計上の制約とによって決まる。当業者であれば、異なる方法を用いて、説明した機能を特定のアプリケーションごとに実装してよいが、実施例が本願の範囲を超えるものとみなされるべきではない。
【０２０９】
本願において、通信装置は、上述の方法の例に基づいて、複数の機能ユニットに分割されてよい。例えば、各機能ユニットは、対応する機能に基づいた区分けを通じて取得されてよい、又は、２つ又はそれよりも多くの機能が、１つの処理ユニットに統合されてよい。統合ユニットは、ハードウェアの形式で実装されてよい、又は、ソフトウェア機能ユニットの形式で実装されてよい。本願におけるユニット区分は例であり、論理的な機能区分に過ぎないことを留意されたい。実際の実施例中、別の区分方式が用いられてよい。
【０２１０】
統合ユニットが用いられる場合、図９は、本願に係る通信装置の可能性のある概略構造図である。装置９００は、処理ユニット９０１、受信ユニット９０２及び送信ユニット９０３を含む。処理ユニット９０１は、装置９００を制御して、図４に示される通信方法の段階を実行するように構成される。処理ユニット９０１はさらに、本明細書において説明される技術の別の処理を実行するように構成されてよい。装置９００はさらに、装置９００のプログラムコード及びデータを格納するように構成されるストレージユニットを含んでよい。
【０２１１】
例えば、処理ユニット９０１は、受信ユニット９０２を制御して、ダウンリンク制御情報を受信するように構成され、ダウンリンク制御情報は、物理アップリンク共有チャネルＰＵＳＣＨをスケジューリングするために用いられ、ＰＵＳＣＨは、アップリンク制御情報ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある。
【０２１２】
処理ユニット９０１はさらに、送信ユニット９０３を制御して、ＰＵＳＣＨ上で第１のＵＣＩを送信するように構成され、第１のＵＣＩは、ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを含む。
【０２１３】
第１の周波数ホッピングリソースにおける予約されたリソースエレメントＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、２ビットよりも小さい又はこれに等しい可能性のあるＨＡＲＱ−ＡＣＫを伝送するために予約されている。
【０２１４】
処理ユニット９０１は、プロセッサ又はコントローラ、例えば、中央処理装置（ｃｅｎｔｒａｌ  ｐｒｏｃｅｓｓｉｎｇ  ｕｎｉｔ、ＣＰＵ）、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）又は別のプログラマブル論理デバイス、トランジスタ論理デバイス、ハードウェアコンポーネント、又は、これらの任意の組み合わせであってよい。プロセッサは、本願において開示されるコンテンツを参照して説明されるさまざまな例示的な論理ブロック、モジュール及び回路を実装又は実行してよい。代わりに、プロセッサは、コンピューティング機能を実装する組み合わせ、例えば、１つ又は複数のマイクロプロセッサの組み合わせ、又は、ＤＳＰ及びマイクロプロセッサの組み合わせであってよい。例えば、送信ユニット９０３及び受信ユニット９０２は送受信器であり、ストレージユニットはメモリであってよい。
【０２１５】
処理ユニット９０１がプロセッサであり、送信ユニット９０３及び受信ユニット９０２が送受信器であり、かつ、ストレージユニットがメモリである場合、本願における通信装置は、図１０に示される装置であってよい。
【０２１６】
図１０を参照すると、装置１０００は、プロセッサ１００１、送受信器１００２及びメモリ１００３（任意）を含む。プロセッサ１００１、送受信器１００２及びメモリ１００３は、内部接続パスを用いることにより互いに通信して、制御信号及び／又はデータ信号を伝達してよい。
【０２１７】
当業者であれば、簡潔に説明するために、上述の装置及びユニットの詳細な動作プロセスについては、上述の方法の実施形態における対応する処理を参照し、ここでは詳細について改めて説明しないことが明確に理解され得る。
【０２１８】
本願において提供される通信装置によれば、ＵＣＩ−ｏｎｌｙのシナリオにおける周波数ホッピングを通じたＵＣＩ伝送に起因して、ＣＳＩ−ｐａｒｔ１における情報が不完全に送信されるという課題を解決するために、ＣＳＩ−ｐａｒｔ１マッピングルールが変更されている。
【０２１９】
統合ユニットが用いられる場合、図１１は、本願に係る別の通信装置の可能性のある概略構造図である。装置１１００は、処理ユニット１１０１、受信ユニット１１０２及び送信ユニット１１０３を含む。処理ユニット１１０１は、装置１１００を制御して、図６に示される通信方法の段階を実行するように構成される。処理ユニット１１０１はさらに、本明細書において説明される技術の別の処理を実行するように構成されてよい。装置１１００はさらに、装置１１００のプログラムコード及びデータを格納するように構成されるストレージユニットを含んでよい。
【０２２０】
例えば、処理ユニット１１０１は、受信ユニット１１０２を制御して、ダウンリンク制御情報を受信するように構成され、ダウンリンク制御情報は、ＰＵＳＣＨをスケジューリングするために用いられ、ＰＵＳＣＨは、ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある。
【０２２１】
処理ユニット１１０１はさらに、送信ユニット１１０３を制御して、ＰＵＳＣＨ上で第１のＵＣＩを送信するように構成され、第１のＵＣＩは、ＨＡＲＱ−ＡＣＫ、ＣＳＩ−ｐａｒｔ１及びＣＳＩ−ｐａｒｔ２のうちの少なくとも１つを含む。
【０２２２】
第１のＵＣＩにおけるＣＳＩ−ｐａｒｔ１の、第１の周波数ホッピングリソース上にマッピングされる符号化ビットの数ＧＣＳＩ−ｐａｒｔ１（１）は、第４の値及び第５の値のうちの小さい方であり、第４の値は、第１のＵＣＩにおけるＣＳＩ−ｐａｒｔ１の符号化ビットの数ＧＣＳＩ−ｐａｒｔ１に基づいて決定され、第５の値は、ＧＡＣＫ（１）及び
【数１６９】
2021534631.tif 000173
のうちの大きい方の値に基づいて決定され、又は、第５の値は、ＧＡＣＫ（１）に基づいて決定され、ＧＡＣＫ（１）は、第１のＵＣＩにおけるＨＡＲＱ−ＡＣＫの、第１の周波数ホッピングリソース上にマッピングされる符号化ビットの数であり、
【数１７０】
2021534631.tif 000174
は、第１の周波数ホッピングリソースにおける予約されたＲＥ上にマッピングされることができる符号化ビットの数である。
【０２２３】
処理ユニット１１０１は、プロセッサ又はコントローラであってよく、例えば、ＣＰＵ、汎用プロセッサ、ＤＳＰ、ＡＳＩＣ、ＦＰＧＡ又は別のプログラマブル論理デバイス、トランジスタ論理デバイス、ハードウェアコンポーネント、又は、これらの任意の組み合わせであってよい。プロセッサは、本願において開示されるコンテンツを参照して説明されるさまざまな例示的な論理ブロック、モジュール及び回路を実装又は実行してよい。代わりに、プロセッサは、コンピューティング機能を実装する組み合わせ、例えば、１つ又は複数のマイクロプロセッサの組み合わせ、又は、ＤＳＰ及びマイクロプロセッサの組み合わせであってよい。例えば、送信ユニット１１０３及び受信ユニット１１０２は送受信器であり、ストレージユニットはメモリであってよい。
【０２２４】
処理ユニット１１０１がプロセッサであり、送信ユニット１１０３及び受信ユニット１１０２が送受信器であり、かつ、ストレージユニットがメモリである場合、本願における通信装置は、図１２に示される装置であってよい。
【０２２５】
図１２を参照すると、装置１２００は、プロセッサ１２０１、送受信器１２０２及びメモリ１２０３（任意）を含む。プロセッサ１２０１、送受信器１２０２及びメモリ１２０３は、内部接続パスを用いることにより互いに通信して、制御信号及び／又はデータ信号を伝達してよい。
【０２２６】
当業者であれば、簡潔に説明するために、上述の装置及びユニットの詳細な動作プロセスについては、上述の方法の実施形態における対応する処理を参照し、ここでは詳細について改めて説明しないことが明確に理解され得る。
【０２２７】
本願において提供される通信装置によれば、ＵＣＩ−ｏｎｌｙのシナリオにおける周波数ホッピングを通じたＵＣＩ伝送に起因して、ＣＳＩ−ｐａｒｔ１における情報が不完全に送信されるという課題を解決するために、ＣＳＩ−ｐａｒｔ１マッピングルールが変更されている。
【０２２８】
統合ユニットが用いられる場合、図１３は、本願に係る通信装置の可能性のある概略構造図である。装置１３００は、処理ユニット１３０１、受信ユニット１３０２及び送信ユニット１３０３を含む。処理ユニット１３０１は、装置１３００を制御して、図７に示される通信方法の段階を実行するように構成される。処理ユニット１３０１はさらに、本明細書において説明される技術の別の処理を実行するように構成されてよい。装置１３００はさらに、装置１３００のプログラムコード及びデータを格納するように構成されるストレージユニットを含んでよい。
【０２２９】
例えば、処理ユニット１３０１は、送信ユニット１３０３を制御して、ダウンリンク制御情報を送信するように構成され、ダウンリンク制御情報は、物理アップリンク共有チャネルＰＵＳＣＨをスケジューリングするために用いられ、ＰＵＳＣＨは、アップリンク制御情報ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある。
【０２３０】
処理ユニット１３０１はさらに、受信ユニット１３０２を制御して、ＰＵＳＣＨ上で第１のＵＣＩを受信するように構成され、第１のＵＣＩは、ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを含む。
【０２３１】
第１の周波数ホッピングリソースにおける予約されたリソースエレメントＲＥ上にマッピングされることができる符号化ビットの数は第１の値であり、第２の周波数ホッピングリソースにおける予約されたＲＥ上にマッピングされることができる符号化ビットの数は第２の値であり、第１の値は、第２の値よりも小さくなく、第１の周波数ホッピングリソースにおける予約されたＲＥ及び第２の周波数ホッピングリソースにおける予約されたＲＥは、２ビットよりも小さい又はこれに等しい可能性のあるＨＡＲＱ−ＡＣＫを伝送するために予約されている。
【０２３２】
処理ユニット１３０１は、プロセッサ又はコントローラ、例えば、中央処理装置（ｃｅｎｔｒａｌ  ｐｒｏｃｅｓｓｉｎｇ  ｕｎｉｔ、ＣＰＵ）、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）又は別のプログラマブル論理デバイス、トランジスタ論理デバイス、ハードウェアコンポーネント、又は、これらの任意の組み合わせであってよい。プロセッサは、本願において開示されるコンテンツを参照して説明されるさまざまな例示的な論理ブロック、モジュール及び回路を実装又は実行してよい。代わりに、プロセッサは、コンピューティング機能を実装する組み合わせ、例えば、１つ又は複数のマイクロプロセッサの組み合わせ、又は、ＤＳＰ及びマイクロプロセッサの組み合わせであってよい。例えば、送信ユニット１３０３及び受信ユニット１３０２は送受信器であり、ストレージユニットはメモリであってよい。
【０２３３】
処理ユニット１３０１がプロセッサであり、送信ユニット１３０３及び受信ユニット１３０２が送受信器であり、かつ、ストレージユニットがメモリである場合、本願における通信装置は、図１４に示される装置であってよい。
【０２３４】
図１４を参照すると、装置１４００は、プロセッサ１４０１、送受信器１４０２及びメモリ１４０３（任意）を含む。プロセッサ１４０１、送受信器１４０２及びメモリ１４０３は、内部接続パスを用いることにより互いに通信して、制御信号及び／又はデータ信号を伝達してよい。
【０２３５】
当業者であれば、簡潔に説明するために、上述の装置及びユニットの詳細な動作プロセスについては、上述の方法の実施形態における対応する処理を参照し、ここでは詳細について改めて説明しないことが明確に理解され得る。
【０２３６】
本願において提供される通信装置によれば、ＵＣＩ−ｏｎｌｙのシナリオにおける周波数ホッピングを通じたＵＣＩ伝送に起因して、ＣＳＩ−ｐａｒｔ１における情報が不完全に送信されるという課題を解決するために、ＣＳＩ−ｐａｒｔ１マッピングルールが変更されている。
【０２３７】
統合ユニットが用いられる場合、図１５は、本願に係る別の通信装置の可能性のある概略構造図である。装置１５００は、処理ユニット１５０１、受信ユニット１５０２及び送信ユニット１５０３を含む。処理ユニット１５０１は、装置１５００を制御して、図８に示される通信方法の段階を実行するように構成される。処理ユニット１５０１はさらに、本明細書において説明される技術の別の処理を実行するように構成されてよい。装置１５００はさらに、装置１５００のプログラムコード及びデータを格納するように構成されるストレージユニットを含んでよい。
【０２３８】
例えば、処理ユニット１５０１は、送信ユニット１５０３を制御して、ダウンリンク制御情報を送信するように構成され、ダウンリンク制御情報は、ＰＵＳＣＨをスケジューリングするために用いられ、ＰＵＳＣＨは、ＵＣＩのみを搬送するために用いられ、ＰＵＳＣＨは、第１の周波数ホッピングリソース及び第２の周波数ホッピングリソースを含み、第１の周波数ホッピングリソースの時間領域開始シンボルは、第２の周波数ホッピングリソースの時間領域開始シンボルの前にある。
【０２３９】
処理ユニット１５０１はさらに、受信ユニット１５０２を制御して、ＰＵＳＣＨ上で第１のＵＣＩを受信するように構成され、第１のＵＣＩは、ＨＡＲＱ−ＡＣＫ、ＣＳＩ−ｐａｒｔ１及びＣＳＩ−ｐａｒｔ２のうちの少なくとも１つを含む。
【０２４０】
第１のＵＣＩにおけるＣＳＩ−ｐａｒｔ１の、第１の周波数ホッピングリソース上にマッピングされる符号化ビットの数ＧＣＳＩ−ｐａｒｔ１（１）は、第４の値及び第５の値のうちの小さい方であり、第４の値は、第１のＵＣＩにおけるＣＳＩ−ｐａｒｔ１の符号化ビットの数ＧＣＳＩ−ｐａｒｔ１に基づいて決定され、第５の値は、ＧＡＣＫ（１）及び
【数１７１】
2021534631.tif 000175
のうちの大きい方の値に基づいて決定され、又は、第５の値は、ＧＡＣＫ（１）に基づいて決定され、ＧＡＣＫ（１）は、第１のＵＣＩにおけるＨＡＲＱ−ＡＣＫの、第１の周波数ホッピングリソース上にマッピングされる符号化ビットの数であり、
【数１７２】
2021534631.tif 000176
は、第１の周波数ホッピングリソースにおける予約されたＲＥ上にマッピングされることができる符号化ビットの数である。
【０２４１】
処理ユニット１５０１は、プロセッサ又はコントローラであってよい、例えば、ＣＰＵ、汎用プロセッサ、ＤＳＰ、ＡＳＩＣ、ＦＰＧＡ又は別のプログラマブル論理デバイス、トランジスタ論理デバイス、ハードウェアコンポーネント、又は、これらの任意の組み合わせであってよい。プロセッサは、本願において開示されるコンテンツを参照して説明されるさまざまな例示的な論理ブロック、モジュール及び回路を実装又は実行してよい。代わりに、プロセッサは、コンピューティング機能を実装する組み合わせ、例えば、１つ又は複数のマイクロプロセッサの組み合わせ、又は、ＤＳＰ及びマイクロプロセッサの組み合わせであってよい。例えば、送信ユニット１５０３及び受信ユニット１５０２は送受信器であり、ストレージユニットはメモリであってよい。
【０２４２】
処理ユニット１５０１がプロセッサであり、送信ユニット１５０３及び受信ユニット１５０２が送受信器であり、かつ、ストレージユニットがメモリである場合、本願における通信装置は、図１６に示される装置であってよい。
【０２４３】
図１６を参照すると、装置１６００は、プロセッサ１６０１、送受信器１６０２及びメモリ１６０３（任意）を含む。プロセッサ１６０１、送受信器１６０２及びメモリ１６０３は、内部接続パスを用いることにより互いに通信して、制御信号及び／又はデータ信号を伝達してよい。
【０２４４】
当業者であれば、簡潔に説明するために、上述の装置及びユニットの詳細な動作プロセスについては、上述の方法の実施形態における対応する処理を参照し、ここでは詳細について改めて説明しないことが明確に理解され得る。
【０２４５】
本願において提供される通信装置によれば、ＵＣＩ−ｏｎｌｙのシナリオにおける周波数ホッピングを通じたＵＣＩ伝送に起因して、ＣＳＩ−ｐａｒｔ１における情報が不完全に送信されるという課題を解決するために、ＣＳＩ−ｐａｒｔ１マッピングルールが変更されている。
【０２４６】
装置の実施形態は、方法の実施形態に完全に対応している。例えば、通信ユニットは、方法の実施形態における取得する段階、取得する段階以外のすべての段階を実行し、送信する段階が処理ユニット又はプロセッサにより実行され得る。特定のユニットの機能については、対応する方法の実施形態を参照されたい。簡潔にするために、ここでは詳細について改めて説明しない。
【０２４７】
上述の処理のシーケンス番号は、本願のさまざまな実施形態における実行シーケンスを意味するものではないことを理解されたい。処理の実行シーケンスは、処理の機能及び内部ロジックに基づいて決定されるべきであり、本願の実装処理に対する何らかの制限であると解釈されるべきではない。
【０２４８】
さらに、本明細書における用語「及び／又は」は、関連する対象を説明するための関連関係のみを説明し、３つの関係が存在し得ることを表す。例えば、Ａ及び／又はＢは、Ａのみが存在する、Ａ及びＢの両方が存在する、及び、Ｂのみが存在するという３つの場合を表し得る。さらに、本明細書における記号「／」は、概して、関連する対象間の「又は」の関係を示す。
【０２４９】
本願において開示されるコンテンツと組み合わせて説明される方法又はアルゴリズム段階は、ハードウェアにより実施されてよい、又は、ソフトウェア命令を実行することにより、プロセッサにより実施されてよい。ソフトウェア命令は、対応するソフトウェアモジュールを含んでよい。ソフトウェアモジュールは、ランダムアクセスメモリ（ｒａｎｄｏｍ  ａｃｃｅｓｓ  ｍｅｍｏｒｙ、ＲＡＭ）、フラッシュメモリ、リードオンリメモリ（ｒｅａｄ  ｏｎｌｙ  ｍｅｍｏｒｙ、ＲＯＭ）、消去可能プログラム可能リードオンリメモリ（ｅｒａｓａｂｌｅ  ｐｒｏｇｒａｍｍａｂｌｅ  ＲＯＭ、ＥＰＲＯＭ）、電気的消去可能プログラム可能リードオンリメモリ（ｅｌｅｃｔｒｉｃａｌｌｙ  ＥＰＲＯＭ、ＥＥＰＲＯＭ）、レジスタ、ハードディスク、モバイルハードディスク、コンパクトディスクリードオンリメモリ（ＣＤ−ＲＯＭ）、又は、任意の他の形式の周知の記憶媒体に格納されてよい。例えば、記憶媒体は、プロセッサに連結され、その結果、プロセッサは、記憶媒体から情報を読み出し、記憶媒体に情報を書き込むことができる。もちろん、記憶媒体は、プロセッサのコンポーネントであってよい。プロセッサ及び記憶媒体は、ＡＳＩＣ内に配置されてよい。
【０２５０】
上述の実施形態のすべて又は一部は、ソフトウェア、ハードウェア、ファームウェア、又は、これらの任意の組み合わせを用いることにより実施されてよい。実施形態を実施するために、ソフトウェアが用いられる場合、実施形態は、コンピュータプログラム製品の形式で完全に又は部分的に実装されてよい。コンピュータプログラム製品は、１つ又は複数のコンピュータ命令を含む。コンピュータプログラム命令がコンピュータ上でロードされて実行される場合、本願に係る機能の手順がすべて又は部分的に生成される。コンピュータは、汎用コンピュータ、専用コンピュータ、コンピュータネットワーク、又は、他のプログラマグル装置であってよい。コンピュータ命令は、コンピュータ可読記憶媒体に格納されてよい、又は、コンピュータ可読記憶媒体を用いることにより伝送されてよい。コンピュータ命令は、ウェブサイト、コンピュータ、サーバ又はデータセンタから、有線（例えば、同軸ケーブル、光ファイバ又はデジタル加入者線（ｄｉｇｉｔａｌ  ｓｕｂｓｃｒｉｂｅｒ  ｌｉｎｅ、ＤＳＬ））又は無線（例えば、赤外線、ラジオ又はマイクロ波）方式で、別のウェブサイト、コンピュータ、サーバ又はデータセンタに伝送されてよい。コンピュータ可読記憶媒体は、コンピュータ、又は、１つ又は複数の使用可能な媒体を統合するサーバ又はデータセンタなどのデータストレージデバイスによりアクセス可能な任意の使用可能な媒体であってよい。使用可能な媒体は、磁気媒体（例えば、フロッピディスク、ハードディスク又は磁気テープ）、光媒体（例えば、デジタル多用途ディスク（ｄｉｇｉｔａｌ  ｖｅｒｓａｔｉｌｅ  ｄｉｓｃ、ＤＶＤ））、又は、半導体媒体（例えば、ソリッドステートドライブ（ｓｏｌｉｄ−ｓｔａｔｅ  ｄｒｉｖｅ、ＳＳＤ））などであってよい。
【０２５１】
本願の目的、技術的解決手段及び利益は、さらに、上述した特定の実施形態において詳細に説明される。上述の説明は、本願の特定の実施形態に過ぎないが、本願の保護範囲を制限することが意図されているわけではないことを理解されたい。本願の技術的解決手段に基づいて行われる任意の改変、均等、交換又は改善は、本願の保護範囲に含まれるものとする。
［項目１］
通信方法であって、
ダウンリンク制御情報を受信する段階であって、上記ダウンリンク制御情報は、物理アップリンク共有チャネルＰＵＳＣＨをスケジューリングするために用いられ、上記ＰＵＳＣＨは、アップリンク制御情報ＵＣＩのみを搬送するために用いられ、上記ＰＵＳＣＨは、第１の周波数ホッピングリソース及び第２の周波数ホッピングリソースを有し、上記第１の周波数ホッピングリソースの時間領域開始シンボルは、上記第２の周波数ホッピングリソースの時間領域開始シンボルの前にある、段階と、
上記ＰＵＳＣＨ上で第１のＵＣＩを送信する段階であって、上記第１のＵＣＩは、ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを有する、段階と
を備え、
上記第１の周波数ホッピングリソースにおける予約されたリソースエレメントＲＥ上にマッピングされることができる符号化ビットの数は第１の値であり、上記第２の周波数ホッピングリソースにおける予約されたＲＥ上にマッピングされることができる符号化ビットの数は第２の値であり、上記第１の値は、上記第２の値よりも小さくなく、上記第１の周波数ホッピングリソースにおける上記予約されたＲＥ及び上記第２の周波数ホッピングリソースにおける上記予約されたＲＥは、２ビットよりも小さい又はこれに等しい可能性のあるＨＡＲＱ−ＡＣＫを伝送するために予約されている、方法。
［項目２］
上記方法は、さらに、
符号化ビットの第１の数
【数１７３】
2021534631.tif 000177
を決定する段階であって、
【数１７４】
2021534631.tif 000178
は、上記第１の周波数ホッピングリソース及び上記第２の周波数ホッピングリソースにおける上記予約されたＲＥ上にマッピングされることができる上記符号化ビットの数の合計であり、上記第１の値及び上記第２の値の両方は、
【数１７５】
2021534631.tif 000179
に基づいて決定される、段階を備える、項目１に記載の方法。
［項目３］
上記第１の値は、
【数１７６】
2021534631.tif 000180
であり、
【数１７７】
2021534631.tif 000181
であり、及び／又は、
上記第２の値は、
【数１７８】
2021534631.tif 000182
であり、
【数１７９】
2021534631.tif 000183
であり、
ＮＬは、上記ＰＵＳＣＨの伝送層の数であり、Ｑｍは、上記第１のＵＣＩの変調次数である、項目２に記載の方法。
［項目４］
上記第１の値は、
【数１８０】
2021534631.tif 000184
であり、上記第２の値は、
【数１８１】
2021534631.tif 000185
であり、又は、
上記第２の値は、
【数１８２】
2021534631.tif 000186
であり、上記第１の値は、
【数１８３】
2021534631.tif 000187
である、項目３に記載の方法。
［項目５］
上記方法は、さらに、
上記第１のＵＣＩにおける上記ＨＡＲＱ−ＡＣＫの符号化ビットの数ＧＡＣＫを決定する段階を備え、
上記第１のＵＣＩにおける上記ＨＡＲＱ−ＡＣＫの、上記第１の周波数ホッピングリソース上にマッピングされる符号化ビットの数は、ＧＡＣＫ（１）であり、ＧＡＣＫ（１）の値は、
上記第１の周波数ホッピングリソース上の連続する復調基準信号ＤＭＲＳシンボルの第１グループの後にあり、かつ、データを搬送するために用いられることができるＲＥ上にマッピングされる符号化ビットの数と、ＧＡＣＫに基づいて決定される第３の値との２つの値のうちの小さい方である、項目１から４のいずれか一項に記載の方法。
［項目６］
上記第１の周波数ホッピングリソース上の上記連続するＤＭＲＳシンボルの第１グループの後にあり、かつ、データを搬送するために用いられることができる上記ＲＥ上にマッピングされる上記符号化ビットの数の値は、Ｍ３・ＮＬ・Ｑｍに等しく、Ｍ３は、上記第１の周波数ホッピングリソース上の上記連続するＤＭＲＳシンボルの第１グループの後にあり、かつ、データを搬送するために用いられることができるＲＥの数であり、ＮＬは、上記ＰＵＳＣＨの上記伝送層の数であり、Ｑｍは、上記第１のＵＣＩの上記変調次数であり、上記第３の値は、
【数１８４】
2021534631.tif 000188
であり、
上記第１のＵＣＩにおける上記ＨＡＲＱ−ＡＣＫの上記ビットの数は２よりも大きくない、項目５に記載の方法。
［項目７］
上記第１のＵＣＩにおける上記ＨＡＲＱ−ＡＣＫの、上記第２の周波数ホッピングリソース上にマッピングされる符号化ビットの数は、ＧＡＣＫ（２）であり、ＧＡＣＫ（２）＝ＧＡＣＫ−ＧＡＣＫ（１）である、項目６に記載の方法。
［項目８］
通信方法であって、
ダウンリンク制御情報を送信する段階であって、上記ダウンリンク制御情報は、物理アップリンク共有チャネルＰＵＳＣＨをスケジューリングするために用いられ、上記ＰＵＳＣＨは、アップリンク制御情報ＵＣＩのみを搬送するために用いられ、上記ＰＵＳＣＨは、第１の周波数ホッピングリソース及び第２の周波数ホッピングリソースを有し、上記第１の周波数ホッピングリソースの時間領域開始シンボルは、上記第２の周波数ホッピングリソースの時間領域開始シンボルの前にある、段階と、
上記ＰＵＳＣＨ上で第１のＵＣＩを受信する段階であって、上記第１のＵＣＩは、ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを有する、段階と
を備え、
上記第１の周波数ホッピングリソースにおける予約されたリソースエレメントＲＥ上にマッピングされることができる符号化ビットの数は第１の値であり、上記第２の周波数ホッピングリソースにおける予約されたＲＥ上にマッピングされることができる符号化ビットの数は第２の値であり、上記第１の値は、上記第２の値よりも小さくなく、上記第１の周波数ホッピングリソースにおける上記予約されたＲＥ及び上記第２の周波数ホッピングリソースにおける上記予約されたＲＥは、２ビットよりも小さい又はこれに等しい可能性のあるＨＡＲＱ−ＡＣＫを伝送するために予約されている、方法。
［項目９］
上記第１の値及び上記第２の値の両方は、符号化ビットの第１の数
【数１８５】
2021534631.tif 000189
に対応し、
【数１８６】
2021534631.tif 000190
は、上記第１の周波数ホッピングリソース及び上記第２の周波数ホッピングリソースにおける上記予約されたＲＥ上にマッピングされる上記符号化ビットの数の合計である、項目８に記載の方法。
［項目１０］
上記第１の値は、
【数１８７】
2021534631.tif 000191
であり、
【数１８８】
2021534631.tif 000192
であり、及び／又は、
上記第２の値は、
【数１８９】
2021534631.tif 000193
であり、
【数１９０】
2021534631.tif 000194
であり、
ＮＬは、上記ＰＵＳＣＨの伝送層の数であり、Ｑｍは、上記第１のＵＣＩの変調次数である、項目９に記載の方法。
［項目１１］
上記第１の値は、
【数１９１】
2021534631.tif 000195
であり、上記第２の値は、
【数１９２】
2021534631.tif 000196
であり、又は、
上記第２の値は、
【数１９３】
2021534631.tif 000197
であり、上記第１の値は、
【数１９４】
2021534631.tif 000198
である、項目１０に記載の方法。
［項目１２］
上記第１のＵＣＩにおける上記ＨＡＲＱ−ＡＣＫの、上記第１の周波数ホッピングリソース上にマッピングされる符号化ビットの数は、ＧＡＣＫ（１）であり、ＧＡＣＫ（１）の値は、
上記第１の周波数ホッピングリソース上の連続する復調基準信号ＤＭＲＳシンボルの第１グループの後にあり、かつ、データを搬送するために用いられることができるＲＥ上にマッピングされる符号化ビットの数と、ＧＡＣＫに基づいて決定される第３の値との２つの値のうちの小さい方であり、ＧＡＣＫは、上記第１のＵＣＩにおける上記ＨＡＲＱ−ＡＣＫの符号化ビットの数である、項目８から１１のいずれか一項に記載の方法。
［項目１３］
上記第１の周波数ホッピングリソース上の上記連続するＤＭＲＳシンボルの第１グループの後にあり、かつ、データを搬送するために用いられることができる上記ＲＥ上にマッピングされる上記符号化ビットの数の値は、Ｍ３・ＮＬ・Ｑｍに等しく、Ｍ３は、上記第１の周波数ホッピングリソース上の上記連続するＤＭＲＳシンボルの第１グループの後にあり、かつ、データを搬送するために用いられることができるＲＥの数であり、ＮＬは、上記ＰＵＳＣＨの上記伝送層の数であり、Ｑｍは、上記第１のＵＣＩの上記変調次数であり、上記第３の値は、
【数１９５】
2021534631.tif 000199
であり、
上記第１のＵＣＩにおける上記ＨＡＲＱ−ＡＣＫの上記ビットの数は２よりも大きくない、項目１２に記載の方法。
［項目１４］
上記第１のＵＣＩにおける上記ＨＡＲＱ−ＡＣＫの、上記第２の周波数ホッピングリソース上にマッピングされる符号化ビットの数は、ＧＡＣＫ（２）であり、ＧＡＣＫ（２）＝ＧＡＣＫ−ＧＡＣＫ（１）である、項目１３に記載の方法。
［項目１５］
通信装置であって、受信ユニットと送信ユニットとを備え、
上記受信ユニットは、ダウンリンク制御情報を受信するように構成され、上記ダウンリンク制御情報は、物理アップリンク共有チャネルＰＵＳＣＨをスケジューリングするために用いられ、上記ＰＵＳＣＨは、アップリンク制御情報ＵＣＩのみを搬送するために用いられ、上記ＰＵＳＣＨは、第１の周波数ホッピングリソース及び第２の周波数ホッピングリソースを有し、上記第１の周波数ホッピングリソースの時間領域開始シンボルは、上記第２の周波数ホッピングリソースの時間領域開始シンボルの前にあり、
上記送信ユニットは、上記ＰＵＳＣＨ上で第１のＵＣＩを送信するように構成され、上記第１のＵＣＩは、ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを有し、
上記第１の周波数ホッピングリソースにおける予約されたリソースエレメントＲＥ上にマッピングされることができる符号化ビットの数は第１の値であり、上記第２の周波数ホッピングリソースにおける予約されたＲＥ上にマッピングされることができる符号化ビットの数は第２の値であり、上記第１の値は、上記第２の値よりも小さくなく、上記第１の周波数ホッピングリソースにおける上記予約されたＲＥ及び上記第２の周波数ホッピングリソースにおける上記予約されたＲＥは、２ビットよりも小さい又はこれに等しい可能性のあるＨＡＲＱ−ＡＣＫを伝送するために予約されている、装置。
［項目１６］
上記装置は、さらに、処理ユニットを備え、上記処理ユニットは、
符号化ビットの第１の数
【数１９６】
2021534631.tif 000200
を決定するように構成され、
【数１９７】
2021534631.tif 000201
は、上記第１の周波数ホッピングリソース及び上記第２の周波数ホッピングリソースにおける上記予約されたＲＥ上にマッピングされる符号化ビットの数の合計であり、上記第１の値及び上記第２の値の両方は、
【数１９８】
2021534631.tif 000202
に基づいて決定される、項目１５に記載の装置。
［項目１７］
上記第１の値は、
【数１９９】
2021534631.tif 000203
であり、
【数２００】
2021534631.tif 000204
であり、及び／又は、
上記第２の値は、
【数２０１】
2021534631.tif 000205
であり、
【数２０２】
2021534631.tif 000206
であり、
ＮＬは、上記ＰＵＳＣＨの伝送層の数であり、Ｑｍは、上記第１のＵＣＩの変調次数である、項目１６に記載の装置。
［項目１８］
上記第１の値は、
【数２０３】
2021534631.tif 000207
であり、上記第２の値は、
【数２０４】
2021534631.tif 000208
であり、又は、
上記第２の値は、
【数２０５】
2021534631.tif 000209
であり、上記第１の値は、
【数２０６】
2021534631.tif 000210
である、項目１７に記載の装置。
［項目１９］
上記装置は、さらに、上記処理ユニットを備え、上記処理ユニットは、
上記第１のＵＣＩにおける上記ＨＡＲＱ−ＡＣＫの符号化ビットの数ＧＡＣＫを決定するように構成され、
上記第１のＵＣＩにおける上記ＨＡＲＱ−ＡＣＫの、上記第１の周波数ホッピングリソース上にマッピングされる符号化ビットの数は、ＧＡＣＫ（１）であり、ＧＡＣＫ（１）の値は、
上記第１の周波数ホッピングリソース上の連続するＤＭＲＳシンボルの第１グループの後にあり、かつ、データを搬送するために用いられることができるＲＥ上にマッピングされる符号化ビットの数と、ＧＡＣＫに基づいて決定される第３の値との２つの値のうちの小さい方である、項目１５から１８のいずれか一項に記載の装置。
［項目２０］
上記第１の周波数ホッピングリソース上の上記連続するＤＭＲＳシンボルの第１グループの後にあり、かつ、データを搬送するために用いられることができる上記ＲＥ上にマッピングされる上記符号化ビットの数の値は、Ｍ３・ＮＬ・Ｑｍに等しく、Ｍ３は、上記第１の周波数ホッピングリソース上の上記連続するＤＭＲＳシンボルの第１グループの後にあり、かつ、データを搬送するために用いられることができるＲＥの数であり、ＮＬは、上記ＰＵＳＣＨの上記伝送層の数であり、Ｑｍは、上記第１のＵＣＩの上記変調次数であり、上記第３の値は、
【数２０７】
2021534631.tif 000211
であり、
上記第１のＵＣＩにおける上記ＨＡＲＱ−ＡＣＫの上記ビットの数は２よりも大きくない、項目１９に記載の装置。
［項目２１］
上記第１のＵＣＩにおける上記ＨＡＲＱ−ＡＣＫの、上記第２の周波数ホッピングリソース上にマッピングされる符号化ビットの数は、ＧＡＣＫ（２）であり、ＧＡＣＫ（２）＝ＧＡＣＫ−ＧＡＣＫ（１）である、項目２０に記載の装置。
［項目２２］
通信装置であって、送信ユニットと受信ユニットとを備え、
上記送信ユニットは、ダウンリンク制御情報を送信するように構成され、上記ダウンリンク制御情報は、物理アップリンク共有チャネルＰＵＳＣＨをスケジューリングするために用いられ、上記ＰＵＳＣＨは、アップリンク制御情報ＵＣＩのみを搬送するために用いられ、上記ＰＵＳＣＨは、第１の周波数ホッピングリソース及び第２の周波数ホッピングリソースを有し、上記第１の周波数ホッピングリソースの時間領域開始シンボルは、上記第２の周波数ホッピングリソースの時間領域開始シンボルの前にあり、
上記受信ユニットは、上記ＰＵＳＣＨ上で第１のＵＣＩを受信するように構成され、上記第１のＵＣＩは、ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを有し、
上記第１の周波数ホッピングリソースにおける予約されたリソースエレメントＲＥ上にマッピングされることができる符号化ビットの数は第１の値であり、上記第２の周波数ホッピングリソースにおける予約されたＲＥ上にマッピングされることができる符号化ビットの数は第２の値であり、上記第１の値は、上記第２の値よりも小さくなく、上記第１の周波数ホッピングリソースにおける上記予約されたＲＥ及び上記第２の周波数ホッピングリソースにおける上記予約されたＲＥは、２ビットよりも小さい又はこれに等しい可能性のあるＨＡＲＱ−ＡＣＫを伝送するために予約されている、装置。
［項目２３］
上記第１の値及び上記第２の値の両方は、符号化ビットの第１の数
【数２０８】
2021534631.tif 000212
に対応し、
【数２０９】
2021534631.tif 000213
は、上記第１の周波数ホッピングリソース及び上記第２の周波数ホッピングリソースにおける上記予約されたＲＥ上にマッピングされる上記符号化ビットの数の合計である、項目２２に記載の装置。
［項目２４］
上記第１の値は、
【数２１０】
2021534631.tif 000214
であり、
【数２１１】
2021534631.tif 000215
であり、及び／又は、
上記第２の値は、
【数２１２】
2021534631.tif 000216
であり、
【数２１３】
2021534631.tif 000217
であり、
ＮＬは、上記ＰＵＳＣＨの伝送層の数であり、Ｑｍは、上記第１のＵＣＩの変調次数である、項目２３に記載の装置。
［項目２５］
上記第１の値は、
【数２１４】
2021534631.tif 000218
であり、上記第２の値は、
【数２１５】
2021534631.tif 000219
であり、又は、
上記第２の値は、
【数２１６】
2021534631.tif 000220
であり、上記第１の値は、
【数２１７】
2021534631.tif 000221
である、項目２４に記載の装置。
［項目２６］
上記第１のＵＣＩにおける上記ＨＡＲＱ−ＡＣＫの、上記第１の周波数ホッピングリソース上にマッピングされる符号化ビットの数は、ＧＡＣＫ（１）であり、ＧＡＣＫ（１）の値は、
上記第１の周波数ホッピングリソース上の連続するＤＭＲＳシンボルの第１グループの後にあり、かつ、データを搬送するために用いられることができるＲＥ上にマッピングされる符号化ビットの数と、ＧＡＣＫに基づいて決定される第３の値との２つの値のうちの小さい方であり、ＧＡＣＫは、上記第１のＵＣＩにおける上記ＨＡＲＱ−ＡＣＫの符号化ビットの数である、項目２２から２５のいずれか一項に記載の装置。
［項目２７］
上記第１の周波数ホッピングリソース上の上記連続するＤＭＲＳシンボルの第１グループの後にあり、かつ、データを搬送するために用いられることができる上記ＲＥ上にマッピングされる上記符号化ビットの数の値は、Ｍ３・ＮＬ・Ｑｍに等しく、Ｍ３は、上記第１の周波数ホッピングリソース上の上記連続するＤＭＲＳシンボルの第１グループの後にあり、かつ、データを搬送するために用いられることができるＲＥの数であり、ＮＬは、上記ＰＵＳＣＨの上記伝送層の数であり、Ｑｍは、上記第１のＵＣＩの上記変調次数であり、上記第３の値は、
【数２１８】
2021534631.tif 000222
であり、
上記第１のＵＣＩにおける上記ＨＡＲＱ−ＡＣＫの上記ビットの数は２よりも大きくない、項目２６に記載の装置。
［項目２８］
上記第１のＵＣＩにおける上記ＨＡＲＱ−ＡＣＫの、上記第２の周波数ホッピングリソース上にマッピングされる符号化ビットの数は、ＧＡＣＫ（２）であり、ＧＡＣＫ（２）＝ＧＡＣＫ−ＧＡＣＫ（１）である、項目２７に記載の装置。
［項目２９］
プロセッサを備え、メモリに格納されているプログラム命令を実行する場合、上記プロセッサは、項目１から７のいずれか一項に記載の方法、又は、項目８から１４のいずれか一項に記載の方法を実施する、通信装置。
［項目３０］
コンピュータ可読記憶媒体であって、上記コンピュータ可読記憶媒体は、コンピュータプログラムを格納し、プロセッサが上記コンピュータプログラムを呼び出した場合、項目１から７のいずれか一項に記載の方法、又は、項目８から１４のいずれか一項に記載の方法が実施される、コンピュータ可読記憶媒体。
［項目３１］
通信方法であって、
ダウンリンク制御情報を受信する段階であって、上記ダウンリンク制御情報は、物理アップリンク共有チャネルＰＵＳＣＨをスケジューリングするために用いられ、上記ＰＵＳＣＨは、アップリンク制御情報ＵＣＩのみを搬送するために用いられ、上記ＰＵＳＣＨは、第１の周波数ホッピングリソース及び第２の周波数ホッピングリソースを有し、上記第１の周波数ホッピングリソースの時間領域開始シンボルは、上記第２の周波数ホッピングリソースの時間領域開始シンボルの前にある、段階と、
上記ＰＵＳＣＨ上で第１のＵＣＩを送信する段階であって、上記第１のＵＣＩは、ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを有する、段階と
を備え、
上記第１のＵＣＩにおける上記ＣＳＩ−ｐａｒｔ１の、上記第１の周波数ホッピングリソース上にマッピングされる符号化ビットの数ＧＣＳＩ−ｐａｒｔ１（１）は、第４の値及び第５の値のうちの小さい方であり、上記第４の値は、上記第１のＵＣＩにおける上記ＣＳＩ−ｐａｒｔ１の符号化ビットの数ＧＣＳＩ−ｐａｒｔ１に基づいて決定され、
ＨＡＲＱ−ＡＣＫビットの数が２より大きい場合、上記第５の値は、Ｍ１・ＮＬ・Ｑｍ−ＧＡＣＫ（１）に等しく、
ＨＡＲＱ−ＡＣＫビットの数が２よりも小さい又はこれに等しい場合、上記第５の値は、
【数２１９】
2021534631.tif 000223
に等しく、
【数２２０】
2021534631.tif 000224
であり、
【数２２１】
2021534631.tif 000225
は、上記第１の周波数ホッピングリソースにおけるシンボルの数であり、
【数２２２】
2021534631.tif 000226
は、シンボルｌ上でＵＣＩを搬送できるリソースエレメントＲＥの数であり、ＮＬは、上記ＰＵＳＣＨの伝送層の数であり、Ｑｍは、上記ＰＵＳＣＨの変調次数であり、ＧＡＣＫ（１）は、上記第１のＵＣＩにおける上記ＨＡＲＱ−ＡＣＫの、上記第１の周波数ホッピングリソース上にマッピングされる符号化ビットの数であり、
【数２２３】
2021534631.tif 000227
は、上記第１の周波数ホッピングリソースにおける予約されたＲＥ上にマッピングされることができる符号化ビットの数であり、上記第１の周波数ホッピングリソースにおける上記予約されたＲＥは、２ビットよりも小さい又はこれに等しい可能性のあるＨＡＲＱ−ＡＣＫを伝送するために予約されている、方法。
［項目３２］
上記第４の値は、
【数２２４】
2021534631.tif 000228
に等しい、項目３１に記載の方法。
［項目３３］
通信方法であって、
ダウンリンク制御情報を送信する段階であって、上記ダウンリンク制御情報は、物理アップリンク共有チャネルＰＵＳＣＨをスケジューリングするために用いられ、上記ＰＵＳＣＨは、アップリンク制御情報ＵＣＩのみを搬送するために用いられ、上記ＰＵＳＣＨは、第１の周波数ホッピングリソース及び第２の周波数ホッピングリソースを有し、上記第１の周波数ホッピングリソースの時間領域開始シンボルは、上記第２の周波数ホッピングリソースの時間領域開始シンボルの前にある、段階と、
上記ＰＵＳＣＨ上の第１のＵＣＩを受信する段階であって、上記第１のＵＣＩは、ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを有する、段階と
を備え、
上記第１のＵＣＩにおける上記ＣＳＩ−ｐａｒｔ１の、上記第１の周波数ホッピングリソース上にマッピングされる符号化ビットの数ＧＣＳＩ−ｐａｒｔ１（１）は、第４の値及び第５の値のうちの小さい方であり、上記第４の値は、上記第１のＵＣＩにおける上記ＣＳＩ−ｐａｒｔ１の符号化ビットの数ＧＣＳＩ−ｐａｒｔ１に基づいて決定され、
ＨＡＲＱ−ＡＣＫビットの数が２より大きい場合、上記第５の値は、Ｍ１・ＮＬ・Ｑｍ−ＧＡＣＫ（１）に等しく、
ＨＡＲＱ−ＡＣＫビットの数が２よりも小さい又はこれに等しい場合、上記第５の値は、
【数２２５】
2021534631.tif 000229
に等しく、
【数２２６】
2021534631.tif 000230
であり、
【数２２７】
2021534631.tif 000231
は、上記第１の周波数ホッピングリソースにおけるシンボルの数であり、
【数２２８】
2021534631.tif 000232
は、シンボルｌ上でＵＣＩを搬送できるリソースエレメントＲＥの数であり、ＮＬは、上記ＰＵＳＣＨの伝送層の数であり、Ｑｍは、上記ＰＵＳＣＨの変調次数であり、ＧＡＣＫ（１）は、上記第１のＵＣＩにおける上記ＨＡＲＱ−ＡＣＫの、上記第１の周波数ホッピングリソース上にマッピングされる符号化ビットの数であり、
【数２２９】
2021534631.tif 000233
は、上記第１の周波数ホッピングリソースにおける予約されたＲＥ上にマッピングされることができる符号化ビットの数であり、上記第１の周波数ホッピングリソースにおける上記予約されたＲＥは、２ビットよりも小さい又はこれに等しい可能性のあるＨＡＲＱ−ＡＣＫを伝送するために予約されている、方法。
［項目３４］
上記第４の値は、
【数２３０】
2021534631.tif 000234
に等しい、項目３３に記載の方法。
［項目３５］
通信装置であって、
受信ユニットと送信ユニットとを備え、
上記受信ユニットは、ダウンリンク制御情報を受信するように構成され、上記ダウンリンク制御情報は、物理アップリンク共有チャネルＰＵＳＣＨをスケジューリングするために用いられ、上記ＰＵＳＣＨは、アップリンク制御情報ＵＣＩのみを搬送するために用いられ、上記ＰＵＳＣＨは、第１の周波数ホッピングリソース及び第２の周波数ホッピングリソースを有し、上記第１の周波数ホッピングリソースの時間領域開始シンボルは、上記第２の周波数ホッピングリソースの時間領域開始シンボルの前にあり、
上記送信ユニットは、上記ＰＵＳＣＨ上で第１のＵＣＩを送信するように構成され、上記第１のＵＣＩは、ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを有し、
上記第１のＵＣＩにおける上記ＣＳＩ−ｐａｒｔ１の、上記第１の周波数ホッピングリソース上にマッピングされる符号化ビットの数ＧＣＳＩ−ｐａｒｔ１（１）は、第４の値及び第５の値のうちの小さい方であり、上記第４の値は、上記第１のＵＣＩにおける上記ＣＳＩ−ｐａｒｔ１の符号化ビットの数ＧＣＳＩ−ｐａｒｔ１に基づいて決定され、
ＨＡＲＱ−ＡＣＫビットの数が２より大きい場合、上記第５の値は、Ｍ１・ＮＬ・Ｑｍ−ＧＡＣＫ（１）に等しく、又は、
ＨＡＲＱ−ＡＣＫビットの数が２よりも小さい又はこれに等しい場合、上記第５の値は、
【数２３１】
2021534631.tif 000235
に等しく、
【数２３２】
2021534631.tif 000236
であり、
【数２３３】
2021534631.tif 000237
は、上記第１の周波数ホッピングリソースにおけるシンボルの数であり、
【数２３４】
2021534631.tif 000238
は、シンボルｌ上でＵＣＩを搬送できるリソースエレメントＲＥの数であり、ＮＬは、上記ＰＵＳＣＨの伝送層の数であり、Ｑｍは、上記ＰＵＳＣＨの変調次数であり、ＧＡＣＫ（１）は、上記第１のＵＣＩにおける上記ＨＡＲＱ−ＡＣＫの、上記第１の周波数ホッピングリソース上にマッピングされる符号化ビットの数であり、
【数２３５】
2021534631.tif 000239
は、上記第１の周波数ホッピングリソースにおける予約されたＲＥ上にマッピングされることができる符号化ビットの数であり、上記第１の周波数ホッピングリソースにおける上記予約されたＲＥは、２ビットよりも小さい又はこれに等しい可能性のあるＨＡＲＱ−ＡＣＫを伝送するために予約されている、装置。
［項目３６］
上記第４の値は、
【数２３６】
2021534631.tif 000240
に等しい、項目３５に記載の装置。
［項目３７］
通信装置であって、
送信ユニットと受信ユニットとを備え、
上記送信ユニットは、ダウンリンク制御情報を送信するように構成され、上記ダウンリンク制御情報は、物理アップリンク共有チャネルＰＵＳＣＨをスケジューリングするために用いられ、上記ＰＵＳＣＨは、アップリンク制御情報ＵＣＩのみを搬送するために用いられ、上記ＰＵＳＣＨは、第１の周波数ホッピングリソース及び第２の周波数ホッピングリソースを有し、上記第１の周波数ホッピングリソースの時間領域開始シンボルは、上記第２の周波数ホッピングリソースの時間領域開始シンボルの前にあり、
上記受信ユニットは、上記ＰＵＳＣＨ上で第１のＵＣＩを受信するように構成され、上記第１のＵＣＩは、ハイブリッド自動再送要求−確認応答ＨＡＲＱ−ＡＣＫ、チャネル状態情報パート１ＣＳＩ−ｐａｒｔ１及びチャネル状態情報パート２ＣＳＩ−ｐａｒｔ２のうちの少なくとも１つを有し、
上記第１のＵＣＩにおける上記ＣＳＩ−ｐａｒｔ１の、上記第１の周波数ホッピングリソース上にマッピングされる符号化ビットの数ＧＣＳＩ−ｐａｒｔ１（１）は、第４の値及び第５の値のうちの小さい方であり、上記第４の値は、上記第１のＵＣＩにおける上記ＣＳＩ−ｐａｒｔ１の符号化ビットの数ＧＣＳＩ−ｐａｒｔ１に基づいて決定され、ＨＡＲＱ−ＡＣＫビットの数が２より大きい場合、上記第５の値は、Ｍ１・ＮＬ・Ｑｍ−ＧＡＣＫ（１）に等しく、又は、ＨＡＲＱ−ＡＣＫビットの数が２よりも小さい又はこれに等しい場合、上記第５の値は、
【数２３７】
2021534631.tif 000241
に等しく、
【数２３８】
2021534631.tif 000242
であり、
【数２３９】
2021534631.tif 000243
は、上記第１の周波数ホッピングリソースにおけるシンボルの数であり、
【数２４０】
2021534631.tif 000244
は、シンボルｌ上でＵＣＩを搬送できるリソースエレメントＲＥの数であり、ＮＬは、上記ＰＵＳＣＨの伝送層の数であり、Ｑｍは、上記ＰＵＳＣＨの変調次数であり、ＧＡＣＫ（１）は、上記第１のＵＣＩにおける上記ＨＡＲＱ−ＡＣＫの、上記第１の周波数ホッピングリソース上にマッピングされる符号化ビットの数であり、
【数２４１】
2021534631.tif 000245
は、上記第１の周波数ホッピングリソースにおける予約されたＲＥ上にマッピングされることができる符号化ビットの数であり、上記第１の周波数ホッピングリソースにおける上記予約されたＲＥは、２ビットよりも小さい又はこれに等しい可能性のあるＨＡＲＱ−ＡＣＫを伝送するために予約されている、装置。
［項目３８］
上記第４の値は、
【数２４２】
2021534631.tif 000246
に等しい、項目３７に記載の装置。
［項目３９］
プロセッサを備え、メモリに格納されているプログラム命令を実行する場合、上記プロセッサは、項目３１又は３２に記載の方法を実施する、通信装置。
［項目４０］
プロセッサを備え、メモリに格納されているプログラム命令を実行する場合、上記プロセッサは、項目３３又は３４に記載の方法を実施する、通信装置。
［項目４１］
コンピュータ可読記憶媒体であって、上記コンピュータ可読記憶媒体は、コンピュータプログラムを格納し、プロセッサが上記コンピュータプログラムを呼び出した場合、項目３１又は３２に記載の方法が実施される、コンピュータ可読記憶媒体。
［項目４２］
コンピュータ可読記憶媒体であって、上記コンピュータ可読記憶媒体は、コンピュータプログラムを格納し、プロセッサが上記コンピュータプログラムを呼び出した場合、項目３３又は３４に記載の方法が実施される、コンピュータ可読記憶媒体。
【図１】
2021534631.tif 000304
【図２】
2021534631.tif 000305
【図３】
2021534631.tif 000306
【図４】
2021534631.tif 000307
【図５】
2021534631.tif 000308
【図６】
2021534631.tif 000309
【図７】
2021534631.tif 000310
【図８】
2021534631.tif 000311
【図９】
2021534631.tif 000312
【図１０】
2021534631.tif 000313
【図１１】
2021534631.tif 000314
【図１２】
2021534631.tif 000315
【図１３】
2021534631.tif 000316
【図１４】
2021534631.tif 000317
【図１５】
2021534631.tif 000318
【図１６】
2021534631.tif 000319
【国際調査報告】
2021534631.tif 000320
2021534631.tif 000321
2021534631.tif 000322
2021534631.tif 000323
2021534631.tif 000324